(57)【要約】  装置および通信のための方法が示される。装置は、トランシーバ、およびトランシーバから１つ以上のノードへデータ伝送に先立って１つ以上のノードに複数のチャネルを動的に割り付けるように構成される処理システムを含み得る。
2012501581.tif 000002
【特許請求の範囲】
【請求項１】
トランシーバ、
および前記トランシーバから１つ以上のノードまでのデータ伝送に先立って前記１つ以上のノードに複数のチャネルを動的に割り当てるように構成される処理システム
を含む通信のための装置。
【請求項２】
前記チャネルが複数の周波数チャネルを含む請求項１の装置。
【請求項３】
前記処理システムが、さらに、１つ以上のノードとメッセージを交換するよう構成され、その交換されたメッセージに応答して１つ以上のノードにチャネルを動的に割り当てるよう構成される請求項１の装置。
【請求項４】
前記処理システムが、さらに、マルチキャストのためのトランシーバへメッセージの１つ以上を提供することによりメッセージを交換するよう構成される請求項３の装置。
【請求項５】
前記処理システムが、さらに、ブロードキャストのためのトランシーバへメッセージの１つ以上を提供することによりメッセージを交換するように構成される請求項３の装置。
【請求項６】
前記処理システムが、さらに、フリーチャネルのうちの１つの上の１つ以上のノードに前記処理システムに見られたフリーチャネルのリストを送ることにより１つ以上のノードとメッセージを交換するように構成される請求項３の装置。
【請求項７】
前記トランシーバが、さらに、前記処理システムによって見られたフリーチャネルの各々についてのチャネル予約情報を送信するように構成される請求項６の装置。
【請求項８】
前記チャネル予約情報は、フリーチャネルの前記１つについてのメッセージを交換するための時間持続に関係する請求項７の装置。
【請求項９】
前記処理システムが、さらに、リストにフリーチャネルの前記１つのためのチャネル予約情報を埋め込むように構成される請求項７の装置。
【請求項１０】
前記処理システムが、さらに、応答を送信するために、１つ以上のノードの各々についてのタイムスケジュールをリストに埋め込むように構成される請求項６の装置。
【請求項１１】
前記処理システムが、さらに、応答を送信するために前記１つ以上のノードの各々についての付加的なソース情報を埋め込むように構成される請求項１０の装置。
【請求項１２】
前記付加的なソース情報が、空間、周波数、時間、データレート、あるいはコードの少なくとも１つに関する情報を含む請求項１１の装置。
【請求項１３】
前記処理システムが、さらに、前記処理システムからの要求に応答して前記１つ以上のノードの各々によって見られた１つ以上のフリーチャネルのリストを受信することにより、前記１つ以上のノードとメッセージを交換するよう構成される請求項３の装置。
【請求項１４】
前記処理システムが、さらに、前記割り当てられたチャネルのうちの１つについて前記１つの以上のノードの各１つからリストを受信するよう構成される請求項１３の装置。
【請求項１５】
前記処理システムが、さらに、前記割り当てられたチャネルの前記１つのについて異なる空間のサブチャネル上の前記１つ以上のノードからリストを受信するように構成される請求項１４の装置。
【請求項１６】
前記処理システムが、さらに、前記割り当てられたチャネルの前記１つについて１つ以上のＯＦＤＭシンボルの異なるサブキャリア上の前記１つ以上のノードからリストを受信するように構成される請求項１４の装置。
【請求項１７】
前記トランシーバが、さらに、前記１つ以上のノードに割り当てられた前記チャネルの各々においてメッセージを送信するために要求を送信するように構成される請求項１の装置。
【請求項１８】
前記処理システムが、さらに、メッセージを送るために要求の各々においてチャネル予約情報を埋め込むよう構成される請求項１７の装置。
【請求項１９】
前記チャネル予約情報が、メッセージを送るための要求が送信されるチャネルでデータを送るための時間の持続に関係する請求項１７の装置。
【請求項２０】
前記レシーバーが、割り当てられたチャネル上の前記１つ以上のノードに送信し、および前記割り当てられたチャネルのうちの１つの上の前記１つ以上のノードから肯定応答を受信するように構成される請求項１の装置。
【請求項２１】
前記肯定応答の各々が、ブロック肯定応答を備える請求項２０の装置。
【請求項２２】
前記処理システムが、さらに、前記割り当てられたチャネルの前記１つのおける異なる空間のサブチャネル上の前記１つ以上のノードから肯定応答を受信するように構成される請求項２０の装置。
【請求項２３】
ノードから装置へのデータ伝送に先立って、前記処理システムによって見られた１つ以上のフリーチャネルに関係する情報をノードに供給するよう構成される処理システム、
および１つ以上のフリーチャネルの少なくとも１つの上でデータ伝送を受信するように構成されるトランシーバ
を備える通信のための装置。
【請求項２４】
前記１つ以上のフリーチャネルの各々が、複数の周波数チャネルを含む、請求項２３の装置。
【請求項２５】
前記処理システムが、さらに、前記ノードからのマルチキャストに応答してノードに情報を提供するよう構成される請求項２３の装置。
【請求項２６】
処理システムが、さらに、前記ノードからのブロードキャストに応答してノードに情報を提供するように構成される請求項２３の装置。
【請求項２７】
前記トランシーバが、さらに、前記ノードからチャネルのリストを受信するように構成され、処理システムによって提供される情報において前記１つ以上のフリーチャネルは、受信されたリストから選ばれる請求項２３の装置。
【請求項２８】
トランシーバが、さらに、受信されたリストに応答して前記１つ以上のフリーチャネルの各々の上でチャネル予約情報を送信するように構成される請求項２７の装置。
【請求項２９】
前記トランシーバによって送信された前記チャネル予約情報が前記受信されたリストに埋め込まれたチャネル予約情報と関係がある請求項２８の装置。
【請求項３０】
前記トランシーバが、さらに、リストを受信する他のノードからのチャネル予約情報と共に同時に前記チャネル予約情報を送信するように構成される請求項２８の装置。
【請求項３１】
前記処理システムが、さらに、受信されたリストに埋め込まれたタイムスケジュールに基づいてノードに情報を提供するように構成される請求項２７の装置。
【請求項３２】
前記トランシーバが、さらに、前記１つ以上のフリーチャネルのうちの１つの空間のサブチャネル上で情報を送信するように構成される請求項２３の装置。
【請求項３３】
前記トランシーバが、さらに、前記１つ以上のフリーチャネルのうちの１つの上で１つ以上のＯＦＤＭシンボルの異なるサブキャリアについての情報を送信するように構成される請求項２３の装置。
【請求項３４】
前記トランシーバが、さらに、前記１つ以上のフリーチャネルの前記少なくとも１つの各々の上でノードからデータ伝送のためのチャネル予約メッセージを受信するように構成される請求項２３の装置。
【請求項３５】
前記トランシーバが、さらに、前記１つ以上のフリーチャネルの前記少なくとも１つの各々について前記ノードからデータ伝送のためのチャネル予約メッセージを送信するように構成される請求項２３の装置。
【請求項３６】
前記チャネル予約メッセージが、データ伝送のための時間持続を示す請求項３５の装置。
【請求項３７】
前記トランシーバが、前記１つ以上のフリーチャネルの前記少なくとも１つの各々の上でデータ伝送に応答してノードに肯定応答を送信するように構成される請求項２３の装置。
【請求項３８】
前記肯定応答が、ブロック肯定応答を備える請求項３７の装置。
【請求項３９】
トランシーバが、さらに、前記１つ以上のフリーチャネルのうちの１つの空間サブチャネル上で肯定応答を送信するように構成される請求項３７の装置。
【請求項４０】
データ伝送に先立って他のアクセス端末から複数のチャネルの動的割り当てを受信するように構成される処理システム、
および前記チャネル上で前記他のアクセス端末からデータ伝送を受信するように構成されるトランシーバ
を備えるアクセス端末。
【請求項４１】
前記チャネルが、複数の周波数チャネルを備える請求項４０のアクセス端末。
【請求項４２】
処理システムが、さらに、データ伝送に先立って前記他のアクセス端末に情報を提供するように構成され、前記情報は、前記アクセス端末によって見られたフリーチャネルに関係し、前記フリーチャネルは動的に割り当てられたチャネルを含む請求項４０のアクセス端末。
【請求項４３】
前記トランシーバが、さらに、前記他のアクセス端末からチャネルのリストを受信するように構成され、
前記処理システムによって前記他のアクセス端末に提供される情報においてフリーチャネルが受信されたリストから選ばれる請求項４２のアクセス端末。
【請求項４４】
前記トランシーバが、さらに、前記受信されたリストに応答してフリーチャネルの各々の上でチャネル予約情報を送信するように構成される請求項４３のアクセス端末。
【請求項４５】
前記トランシーバによって送信されたチャネル予約情報が、前記受信リストに埋め込まれたチャネル予約情報と関係がある請求項４４のアクセス端末。
【請求項４６】
前記処理システムが、さらに、前記受信されたリストに埋め込まれた時間情報に基づいて前記他のアクセス端末に情報を提供するように構成される請求項４２のアクセス端末。
【請求項４７】
前記トランシーバが、さらに、前記タンネルの各々の上で前記他のアクセス端末からデータ伝送のためのチャネル予約メッセージを受信するよう構成される請求項４０のアクセス端末。
【請求項４８】
前記トランシーバが、さらに、前記チャネルの各々の上でデータ伝送のためのチャネル予約メッセージを送信するように構成される請求項４０のアクセス端末。
【請求項４９】
前記チャネル予約メッセージが、データ伝送のための時間持続を示す請求項４８のアクセス端末。
【請求項５０】
前記トランシーバが、前記チャネルの各々の上で前記データ伝送に応答して前記他のアクセス端末に肯定応答を送信するように構成される請求項４０のアクセス端末。
【請求項５１】
前記肯定応答が、ブロック肯定応答を備える請求項５０のアクセス端末。
【請求項５２】
トランシーバから１つ以上のノードまのでデータ伝送に先立って前記１つ以上のノードに動的に複数のチャネルを割り当てることを備える通信のための方法。
【請求項５３】
前記チャネルが、複数の周波数チャネルを備える請求項５２の方法。
【請求項５４】
前記１つ以上のノードとメッセージを交換すること、
および前記交換されたメッセージに応答して前記１つ以上のノードに動的にチャネルを割り当てること
をさらに備える請求項５２の方法。
【請求項５５】
前記メッセージの交換が、マルチキャストについて前記トランシーバへのメッセージの１つ以上を供給することによりメッセージを交換することを備える請求項５４の方法。
【請求項５６】
前記メッセージの交換が、ブロードキャストについて前記トランシーバへの前記メッセージの１つ以上を供給することにより前記メッセージを交換することを備える請求項５４の方法。
【請求項５７】
前記メッセージの交換が、前記フリーチャネルのうちの１つの上で前記１つ以上のノードに対して見られたフリーチャネルのリストを送ることにより、前記１つ以上のノードと前記メッセージを交換することを備える請求項５４の方法。
【請求項５８】
見られたフリーチャネルの各々でチャネル予約情報を送信することをさらに備える請求項５７の方法。
【請求項５９】
前記チャネル予約情報が、前記フリーチャネルの前記１つの上で前記メッセージの交換のための時間持続に関係がある請求項５８の方法。
【請求項６０】
リストにおいてフリーチャネルの前記１つのためのチャネル予約情報を埋め込むことをさらに含む請求項５８の方法。
【請求項６１】
応答を送信するために前記１つ以上のノードの各々のためのタイムスケジュールを埋め込むことをさらに含む請求項５７の方法。
【請求項６２】
応答を送信するために前記１つ以上のノードの各々の上で付加的なソース情報を埋め込むことをさらに備える請求項６１の方法。
【請求項６３】
前記付加的なソース情報が、空間、周波数、時間、データレート、あるいはコードの少なくとも１つに関する情報を備える請求項６２の方法。
【請求項６４】
メッセージの交換が、要求に応答して前記１つ以上のノードによって見られた１つ以上のフリーチャネルのリストを受信することにより前記１つ以上のノードとメッセージを交換することを備える請求項５４の方法。
【請求項６５】
前記割り当てられたチャネルのうちの１つの上で前記１つ以上のノードの各１つからリストを受信することをさらに備える請求項６４の方法。
【請求項６６】
前記リストの前記受信が、前記割り当てられたチャネルの前記１つについての異なる空間サブチャネル上の前記１つ以上のノードから前記リストを受信することをさらに備える請求項６５の方法。
【請求項６７】
前記リストの前記受信が、前記割り当てられたチャネルの前記１つについての１つ以上のＯＦＤＭシンボルの異なるサブキャリア上の前記１つ以上のノードから前記リストを受信することをさらに備える請求項６５の方法。
【請求項６８】
前記１つ以上のノードに割り当てられたチャネルの各々についてのメッセージを送信するための要求を送信することをさらに備える請求項５２の方法。
【請求項６９】
メッセージを送るために要求各々においてチャネル予約情報を埋め込むことをさらに備える請求項６８の方法。
【請求項７０】
前記チャネル予約情報が、メッセージを送るための要求が送信されたチャネル上でデータを送るための時間持続に関係がある請求項６８の方法。
【請求項７１】
前記割り当てられたチャネルの前記１つ以上のノードに送信すること、
および前記割り当てられたチャネルのうちの１つの上で前記１つ以上のノードから肯定応答を受け取ること
をさらに備える請求項５２の方法。
【請求項７２】
前記肯定応答の各々が、ブロック肯定応答を備える請求項７１の方法。
【請求項７３】
前記割り当てられたチャネルの前記１つにおける異なる空間サブチャネル上で前記１つ以上のノードから肯定応答を受信することをさらに備える請求項７１の方法。
【請求項７４】
ノードから方法までのデータ伝送に先立ってノードへ、見られた１つ以上のフリーチャネルに関係する情報を提供すること、
および前記１つ以上のフリーチャネルの少なくとも１つの上でデータ伝送を受信すること
を備える通信のための方法。
【請求項７５】
前記１つ以上のフリーチャネルの各々が、複数の周波数チャネルを備える請求項７４の方法。
【請求項７６】
提供することは、さらに、前記ノードからのマルチキャストに応答して前記ノードに情報を提供することを備える請求項７４の方法。
【請求項７７】
提供することが、さらに、前記ノードからのブロードキャストに応答して前記ノードに情報を提供することを備える請求項７４の方法。
【請求項７８】
前記ノードからのチャネルのリストを受信することを備え、前記ノードに提供される情報において前記１つ以上のフリーチャネルが、前記受信されたリストから選択される請求項７４の方法。
【請求項７９】
さらに、前記受信されたリストに応答して前記１つ以上のフリーチャネルの各々の上でチャネル予約情報を送信すること備える請求項７８の方法。
【請求項８０】
送信された前記チャネル予約情報が、前記受信されたリストが埋め込まれたチャネル予約情報と関係がある請求項７９の方法。
【請求項８１】
前記リストを受け取る他のノードからチャネル予約情報と共に同時に前記チャネル予約情報を送信することをさらに備える請求項７９の方法。
【請求項８２】
前記提供することが、前記受信されたリストに埋め込まれたタイムスケジュールに基づいてノードに情報を提供することをさらに備える請求項７８の方法。
【請求項８３】
前記１つ以上のフリーチャネルのうちの１つの空間サブチャネルについての情報を送信することをさらに備える請求項７４の方法。
【請求項８４】
前記１つ以上のフリーチャネルのうちの１つの上の１つ以上のＯＦＤＭシンボルの異なるサブキャリアについての情報を送信することをさらに備える請求項７４の方法。
【請求項８５】
前記１つ以上のフリーチャネルの少なくとも１つの各々のノードからデータ伝送のためのチャネル予約メッセージを受信することを、さらに備える請求項７４の方法。
【請求項８６】
前記１つ以上のフリーチャネルの前記少なくとも１つの各々のデータ伝送のためのチャネル予約メッセージを送信することをさらに備える請求項７４の方法。
【請求項８７】
チャネル予約メッセージが、データ伝送のための時間持続を示す請求項８６の方法。
【請求項８８】
前記１つ以上のチャネルの前記少なくとも１つの各々のデータ伝送に応答して前記ノードに肯定応答を送信することをさらに備える請求項７４の方法。
【請求項８９】
前記肯定応答が、ブロック肯定応答を備える請求項８８の方法。
【請求項９０】
前記肯定応答を送信することが、１つ以上のフリーチャネルのうちの１つの空間サブチャネル上の肯定応答を送信することを備える請求項８８の方法。
【請求項９１】
データ伝送に先立って他のアクセス端末から複数のチャネルの動的割り当てを受信すること、
および前記チャネル上の前記他のアクセス端末からデータ伝送を受信すること
を備える通信のための方法。
【請求項９２】
前記チャネルが、複数の周波数チャネルを備える請求項９１の方法。
【請求項９３】
前記データ伝送に先立って前記他のアクセス端末に情報を提供することをさらに備え、
前記情報は、見られたフリーチャネルに関係し、前記フリーチャネルは、動的に割り当てられたチャネルを備える請求項９１の方法。
【請求項９４】
前記他のアクセス端末からチャネルのリストを受信することをさらに備え、
前記他のアクセス端末に提供された情報におけるフリーチャネルは、受信されたリストから選ばれる請求項９３の方法。
【請求項９５】
受信されたリストに応答してフリーチャネルの各々の上でチャネル予約情報を送ることさらに備える請求項９４の方法。
【請求項９６】
送信された前記チャネル予約情報が、受信されたリストに埋め込まれていたチャネル予約情報と関係がある請求項９５の方法。
【請求項９７】
前記情報を提供することが、受信されたリストにおいて埋め込まれた時間情報に基づいて前記他のアクセス端末に情報を提供することを備える請求項９３の方法。
【請求項９８】
前記チャネルの各々の上で前記他のアクセス端末からデータ伝送のためのチャネル予約メッセージを受信することをさらに備える請求項９１の方法。
【請求項９９】
各チャネル上のデータ伝送のためのチャネル予約メッセージを送信することをさらに備える請求項９１の方法。
【請求項１００】
チャネル予約メッセージが、データ伝送のための時間持続を示す請求項９９の方法。
【請求項１０１】
前記チャネルの各々の上のデータ伝送に応答して前記他のアクセス端末に肯定応答を送信することをさらに備える請求項９１の方法。
【請求項１０２】
前記肯定応答が、ブロック肯定応答を備える請求項１０１の方法。
【請求項１０３】
複数のチャネルのアクセス可能性を決定するための手段、
およびアクセス可能性に基づいてトランシーバから１つ以上のノードまでのデータ伝送に先立って前記１つ以上のノードに動的に複数のチャネルを割り当てるための手段
を備える通信のための装置。
【請求項１０４】
前記チャネルが、複数の周波数チャネルを備える請求項１０３の装置。
【請求項１０５】
前記１つ以上のノードとメッセージを交換するための手段、
および前記交換されたメッセージに応答して前記１つ以上のノードに動的に前記チャネルを割り当てるための手段
をさらに備える請求項１０３の装置。
【請求項１０６】
メッセージを交換するための前記手段が、マルチキャスト対するトランシーバへメッセージの１つ以上を供給することによりメッセージを交換するように構成される請求項１０５の装置。
【請求項１０７】
メッセージを交換するための前記手段が、ブロードキャストのためのトランシーバへメッセージの１つ以上を供給することによりメッセージを交換するように構成される請求項１０５の装置。
【請求項１０８】
メッセージを交換するための前記手段が、フリーチャネルのうちの１つの上の前記１つ以上のノードに見られたフリーチャネルのリストを送ることにより、前記１つ以上のノードとメッセージを交換するように構成される請求項１０５の装置。
【請求項１０９】
見られたフリーチャネルの各々についてのチャネル予約情報用を送信するための段をさらに備える請求項１０８の装置。
【請求項１１０】
前記チャネル予約情報が、フリーチャネルの前記１つにおいてメッセージを交換するための時間持続に関係がある請求項１０９の装置。
【請求項１１１】
フリーチャネルの前記１つについてのチャネル予約情報をリストに埋め込むための手段をさらに備える請求項１０９の装置。
【請求項１１２】
応答を送信するために前記１つ以上のノードの各々についてのタイムスケジュールをリストに埋め込むため手段をさらに備える請求項１０８の装置。
【請求項１１３】
応答を送信するために前記１つ以上のノードの各々についての付加的なソース情報を埋め込むための手段をさらに備える請求項１１２の装置。
【請求項１１４】
前記付加的なソース情報が、空間、周波数、時間、データレート、あるいはコードの少なくとも１つについての情報を備える請求項１１３の装置。
【請求項１１５】
メッセージを交換するための手段が、要求に応答して前記１つ以上のノードの各々によって見られた１つ以上のフリーチャネルのリストを受信することにより前記１つ以上のノードとメッセージを交換するように構成される請求項１０５の装置。
【請求項１１６】
前記割り付けられたチャネルのうちの１つの上で前記１つ以上のノードの各１つからリストを受信するための手段をさらの備える請求項１１５の装置。
【請求項１１７】
前記リストを受信するための手段が、前記割り付けられたチャネルの前記１つについての異なる空間サブチャネル上の前記１つ以上のノードからリストを受信するように構成される請求項１１６の装置。
【請求項１１８】
前記リストを受信するための手段が、前記割り付けられたチャネルの前記１つについての１つ以上のＯＦＤＭシンボルの異なるサブキャリア上の前記１つ以上のノードから前記リストを受信するように構成される請求項１１６の装置。
【請求項１１９】
前記１つ以上のノードに割り当てられたチャネルの各々の上でメッセージを送信するために要求を送信するための手段をさらに備える請求項１１９の装置。
【請求項１２０】
メッセージを送るためにチャネル予約情報を要求の各々に埋め込むための手段をさらに備える請求項１１９の装置。
【請求項１２１】
前記チャネル予約情報が、メッセージを送るための要求が送信されるチャネル上でデータを送るための時間持続に関係がある請求項１１９の装置。
【請求項１２２】
割り付けられたチャネル上の前記１つ以上のノードに送信するための手段、
および前記割り付けられたチャネルのうちの１つの上の前記１つ以上のノードから肯定応答を受信するための手段
をさらに備える請求項１０３の装置。
【請求項１２３】
前記肯定応答の各々が、ブロック肯定応答を備える請求項１２２の装置。
【請求項１２４】
前記割り付けられたチャネルの前記１つにおいて異なる空間サブチャネル上の前記１つ以上のノードから肯定応答を受信するための手段をさらに備える請求項１２２の装置。
【請求項１２５】
ノードから装置へのデータ伝送に先立ってノードへ、見られた１つ以上のフリーチャネルに関係のある情報を提供するための手段と、
および前記１つ以上のフリーチャネルの少なくとも１つの上のデータ伝送を受信するための手段
を備える通信のための装置。
【請求項１２６】
前記１つ以上のフリーチャネルの各々が、複数の周波数チャネルを含む請求項１２５の装置。
【請求項１２７】
提供するための前記手段が、前記ノードからのマルチキャストに応答して前記ノードに前記情報を提供するように構成される請求項１２５の装置。
【請求項１２８】
提供するための前記手段が、前記ノードからのブロードキャストに応答して前記ノードに前記情報を提供するように構成される請求項１２５の装置。
【請求項１２９】
前記ノードからチャネルのリストを受信するための手段をさらに備え、前記ノードに提供された情報における前記１つ以上のフリーチャネルが、受信されたリストから選ばれる請求項１２５の装置。
【請求項１３０】
受信されたリストに応答して前記１つ以上のフリーチャネルの各々でチャネル予約情報を送信するための手段をさらに備える請求項１２９の装置。
【請求項１３１】
送信された前記チャネル予約情報が、受信されたリストに埋め込まれたチャネル予約情報と関係がある請求項１３０の装置。
【請求項１３２】
リストを受信する他のノードからチャネル予約情報と同時に前記チャネル予約情報を送信するための手段をさらに備える請求項１３０の装置。
【請求項１３３】
提供するための前記手段が、前記受信されたリストに埋め込まれたタイムスケジュールに基づいて前記ノードに情報を提供するように構成される請求項１２９の装置。
【請求項１３４】
前記１つ以上のフリーチャネルのうちの１つの空間サブチャネルについての情報を送信するための手段をさらに備える請求項１２５の装置。
【請求項１３５】
前記１つ以上のフリーチャネルのうちの１つの上の１つ以上のＯＦＤＭシンボルの異なるサブキャリアについての情報を送信するための手段をさらに備える請求項１２５の装置。
【請求項１３６】
前記１つ以上のフリーチャネルの前記少なくとも１つの各々のノードからデータ伝送のためのチャネル予約メッセージを受信するための手段をさらに備える請求項１２５の装置。
【請求項１３７】
前記１つ以上のフリーチャネルの前記少なくとも１つの各々の前記ノードからデータ伝送のためのチャネル予約メッセージを送信するため手段をさらに備える請求項１２５の装置。
【請求項１３８】
前記チャネル予約メッセージが、データ伝送のための時間持続を示す請求項１３７の装置。
【請求項１３９】
前記１つ以上のチャネルの前記少なくとも１つの各々のデータ伝送に応答して前記ノードに肯定応答を送信するための手段をさらに備える請求項１２５の装置。
【請求項１４０】
前記肯定応答が、ブロック肯定応答を備える請求項１３９の装置。
【請求項１４１】
前記送信のための手段が、前記１つ以上のチャネルのうちの１つの空間サブチャネル上で前記肯定応答を送信するように構成される請求項１３９の装置。
【請求項１４２】
データ伝送に先立って他のアクセス端末から複数のチャネルの動的な割り当てを受信するための手段、
および前記チャネル上の前記他のアクセス端末からのデータ伝送を受信するための手段
を備えるアクセス端末。
【請求項１４３】
前記チャネルが、複数の周波数チャネルを備える請求項１４２のアクセス端末。
【請求項１４４】
データ伝送に先立って前記他のアクセス端末に情報を提供するための手段をさらに備え、
前記情報は、アクセス端末によって見られたフリーチャネルに関係しており、
前記フリーチャネルは、動的に割り当てられたチャネルを含む請求項１４２のアクセス端末。
【請求項１４５】
前記他のアクセス端末からチャネルのリストを受信するための手段をさらに備え、
前記他のアクセス端末に提供される情報におけるフリーチャネルは、受信されたリストから選ばれる請求項１４４のアクセス端末。
【請求項１４６】
受信されたリストに応じてフリーチャネルの各々でチャネル予約情報を送信するための手段をさらに備える請求項１４５のアクセス端末。
【請求項１４７】
送信されたチャネル予約情報が、受信されたリストに埋め込まれたチャネル予約情報と関係がある請求項１４６のアクセス端末。
【請求項１４８】
情報を提供する手段が、前記受信されたリストに埋め込まれた時間情報に基づいて前記他のアクセス端末に情報を提供するように構成される請求項１４４のアクセス端末。
【請求項１４９】
前記チャネルの各々で前記他のアクセス端末からデータ伝送のためのチャネル予約メッセージを受信するための手段をさらに備える請求項１４２のアクセス端末。
【請求項１５０】
前記チャネルの各々でデータ伝送のためのチャネル予約メッセージを送信するための手段をさらに備える請求項１４２のアクセス端末。
【請求項１５１】
チャネル予約メッセージが、データ伝送のための時間持続を示す請求項１５０のアクセス端末。
【請求項１５２】
前記チャネルの各々でデータ伝送に応じて前記他のアクセス端末に肯定応答を送信するための手段をさらに備える請求項１４２のアクセス端末。
【請求項１５３】
前記肯定応答が、ブロック肯定応答を備える請求項１５２のアクセス端末。
【請求項１５４】
ネットワークへピアノードに対するバックホール接続を支援するように構成される無線ネットワークアダプタ、
トランシーバ、
および前記トランシーバから前記１つ以上のノードまでデータ伝送に先立って１つ以上のノードに複数のチャネルを割り当てるように構成される処理システム
を備えたアクセスポイント。
【請求項１５５】
前記ノードから前記装置へデータ伝送に先立ってノードに、前記処理システムによって見られた１つ以上のフリーチャネルに関係する情報を提供するように構成される処理システム、
前記１つ以上のフリーチャネルの少なくとも１つでのデータ伝送を受信するように構成されるトランシーバ、
および処理システムに支援されたユーザインタフェース
を備えるアクセス端末。
【請求項１５６】
トランシーバから１つ以上のノードまでデータ伝送に先立って前記１つ以上のノードに複数のチャネルを動的に割り当てることが実行可能な命令で符号化された機械読み取り可能な媒体を備える通信のためのコンピュータプログラム製品。
【請求項１５７】
ノードからのデータ伝送に先立ってノードに処理システムによって見られた１つ以上のフリーチャネルに関係のある情報を提供すること、
および前記１つ以上のフリーチャネルの少なくとも１つでトランシーバによるデータ伝送を受信すること
が処理システムによって実行可能な命令で符号化された機械読み取り可能な媒体を備える通信のためのコンピュータプログラム製品。
【請求項１５８】
データ伝送に先立ってアクセス端末から複数のチャネルの動的な割り当てを受信すること、
およびチャネル上のアクセス端末からデータ伝送を受信すること
が実行可能な命令で符号化された機械読み取り可能な媒体を備える通信のためのコンピュータプログラム製品。
【発明の詳細な説明】
【技術分野】
【０００１】
関係する出願への相互参照
本出願は、２００８年８月２６日に出願され、これについて譲受人に譲渡された「マルチチャネルＴＤＭＡ機構」と名称がつけられ、参照によってここに取り込まれる米国仮出願第６１／０９１，７８２号に対する優先権を主張する。
【０００２】
以下の記載は、一般的には通信システムに関係し、特にマルチチャネル通信システムに関係する。
【背景技術】
【０００３】
無線通信システムのために要求される帯域幅必要量を増加させる問題を扱うために、異なるスキームは、多数のユーザ端末が、高いデータ効率を達成するとともにチャネルリソースを共有することにより、単一のアクセスポイントと通信することを可能にするために開発されている。多入力あるいは多出力（Ｍｕｌｔｉｐｌｅ  Ｉｎｐｕｔ  ｏｒ  Ｍｕｌｔｉｐｌｅ  Ｏｕｔｐｕｔ：ＭＩＭＯ）技術は、最近出現した次世代通信システムのためのポピュラーな技術のような１つのアプローチを表わす。ＭＩＭＯ技術は、電気学会（ｔｈｅ  Ｉｎｓｔｉｔｕｔｅ  ｏｆ  Ｅｌｅｃｔｒｉｃ  Ｅｎｇｉｎｅｅｒｓ：ＩＥＥＥ）８０２．１１基準のようないくつかの新興の無線通信基準に適用された。ＩＥＥＥ  ８０２．１１は、ショートレンジ通信（例えば数１００メートルに対して数１０メートル）のためのＩＥＥＥ  ８０２．１１委員会によって開発された１組の無線ローカルエリアネットワーク（Ｗｉｒｅｌｅｓｓ  Ｌｏｃａｌ  Ａｒｅａ  Ｎｅｔｗｏｒｋ：ＷＬＡＮ）エアーインターフェース標準を表示する。
【０００４】
複数ユーザがある無線ネットワークでは、物理層データレートが増加するにつれて、ＭＡＣプロトコル効率は関連するオーバヘッドにより減少する。この問題を緩和する１つの方法は複数ユーザの間の時分割多重化を行なうことである。これは、プリアンブルのようなある共通因子に関連したオーバヘッドの量を減らす。さらに、これは、異なるパケット伝送間で提供される必要のある義務的な間隔に関連したオーバヘッドを縮小する。８０２．１１のＷＬＡＮシステムに利用可能な無免許の周波数域を考慮する場合、パケット伝送用の大量の利用可能な帯域幅が存在する。典型的に、帯域幅は、幅２０ＭＨｚである異なるチャネルへ分割される。１つより多い単一チャネルが、分配システムにおいてフリーならば、このリソースのよりよい利用はより高い総計の処理能力を可能にするだろう。従って、上に記述された不足の１つ以上に取り組むことは望ましいだろう。
【要約】
【０００５】
開示の態様によれば、通信用の装置はトランシーバ、およびトランシーバから１つ以上のノードまでのデータ伝送に先立って１つ以上のノードに複数のチャネルを動的に割り当てるように構成される処理システムを含む。
【０００６】
開示の別の態様によれば、通信用の装置は、ノードから装置までのデータ伝送に先立ってノードに情報を提供するよう構成される処理システム、処理システムによって見られた１つ以上のフリーチャネルに関係のある情報、および１つ以上のフリーチャネルの少なくとも１つについてのデータ伝送を受け取るように構成されるトランシーバを含んでいる。
【０００７】
開示の更なる態様によれば、アクセス端末は、データ伝送に先立って他のアクセス端末から複数のチャネルの動的割当てを受け取るように構成される処理システム、およびチャネル上で別のアクセス端末からのデータ伝送を受け取るように構成されるトランシーバを含んでいる。
【０００８】
開示のさらに更なる態様によれば、通信のための方法は、トランシーバから１つ以上のノードまでのデータ伝送に先立って１つ以上のノードに動的に複数のチャネルを割り付けることを含む。
【０００９】
開示の別の態様によれば、通信のための方法は、ノードから方法までのデータ伝送に先立ってノードに見られた１つ以上のフリーチャネルに関係のある情報を提供すること、および１つ以上のフリーチャネルの少なくとも１つについてのデータ伝送を受け取ることを含む。
【００１０】
開示の別の更なる態様によれば、通信のための方法は、データ伝送に先立って別のアクセス端末から複数のチャネルの動的割当てを受け取ること、およびチャネルで他のアクセス端末からのデータ伝送を受け取ることを含む。
【００１１】
開示のさらに更なる態様によれば、通信のための装置は、複数のチャネルを提供するための手段、トランシーバから１つ以上のノードまでのデータ伝送に先立って１つ以上のノードに動的に複数のチャネルを割り付けるための手段を含む。
【００１２】
開示のさらに更なる態様によれば、通信のための装置は、ノードから装置までのデータ伝送に先立ってノードへ見られた１つ以上のフリーチャネルに関係のある情報を提供するための手段、および１つ以上のフリーチャネルの少なくとも１つの上のデータ伝送を受け取るための手段を含む。
【００１３】
開示のさらに更なる態様によれば、アクセス端末は、データ伝送に先立って別のアクセス端末から複数のチャネルの動的割当てを受け取るための手段、およびチャネルで他のアクセス端末からのデータ伝送を受け取るための手段を含む。
【００１４】
開示のさらに更なる態様によれば、アクセスポイントは、ピアノードからネットワーク、トランシーバ、およびトランシーバから１つ以上のノードまでデータ伝送に先立って１つ以上のノードに複数のチャネルを動的に割り付けるように構成される処理システムについてのバックホール接続を支援するように構成される無線ネットワークアダプタを含む。
【００１５】
開示のさらに更なる態様によれば、アクセス端末は、ノードから装置までのデータ伝送に先立ってノードに処理システムによって見られた１つ以上のフリーチャネルに関係のある情報を提供する構成される処理システム、１つ以上のフリーチャネルの少なくとも１つの上のデータ伝送を受け取るように構成されるトランシーバ、および処理システムに支援されたユーザインタフェースを含む。
【００１６】
開示のさらに更なる態様によれば、通信用のコンピュータプログラム製品は、トランシーバから１つ以上のノードまでのデータ伝送に先立って１つ以上のノードに複数のチャネルを動的に割り付けるのに実行可能な命令で符号化された機械読み出し可能な媒体を含む。
【００１７】
開示のさらに更なる態様によれば、通信用のコンピュータプログラム製品は、ノードからのデータ伝送に先立ってノードに処理システムに見られた１つ以上のフリーチャネルに関係のある情報を提供し、および１つ以上のフリーチャネルの少なくとも１つの上のトランシーバによるデータ伝送を受け取るために処理システムによって実行可能な命令で符号化された機械可読媒体を含む。
【００１８】
開示のさらに更なる態様によれば、通信用のコンピュータプログラム製品は、データ伝送に先立ってアクセス端末から複数のチャネルの動的な割当てを受け取り、およびチャネル上のアクセス端末からのデータ伝送を受け取るために実行可能な命令で符号化された機械可読媒体を含む。
【図面の簡単な説明】
【００１９】
発明のこれらおよび他の例の態様は、続く詳細な説明および添付の図面に記載されるだろう。
【図１】図１は、無線通信ネットワークのブロック図である。
【図２Ａ】図２Ａは、チャネル割り当て機構におけるメッセージイベントの時系列を例示する。
【図２Ｂ】図２Ｂは、別のチャネル割り当て機構中のメッセージイベントの時系列を例示する。
【図３】図３は、更なる別のチャネル割り当て機構におけるメッセージイベントの時系列を例示する。
【図４】図４は、更なるチャネルの割り当て機構におけるメッセージイベントの時系列を例示する。
【図５】図５は、更なるチャネル割り当て機構におけるメッセージイベントの時系列を例示する。
【図６】図６は、図１の無線通信ネットワークにおける無線ノードのＰＨＹ層の信号処理機能の例のブロック図である。
【図７】図７は、図１の無線通信ネットワークにおける無線ノードにおける処理システムための典型的なハードウェア構成を例示するブロック図である。
【図８】図８は、チャネル割り当てとデータ転送処理を例示するフローチャートブロック図である。
【図９】図９は、別のチャネル割り当ておよびデータ転送処理を例示するフローチャートブロック図である。
【図１０】図１０は、装置の機能の例を例示するブロック図である。
【図１１】図１１は、別の装置の機能の例を例示するブロック図である。
【図１２】図１２は、さらに別の装置の機能の例を例示するブロック図である。
【００２０】
慣例に従って、図面のうちのいくつかは明瞭さのために単純化され得る。したがって、図面は、与えられた装置（例えばデバイス）か方法のコンポーネントのすべてを描かなくてもよい。最後に、参照数字が、明細書と図の全体にわたる特徴のように示すために使用され得る。
【詳細な説明】
【００２１】
発明のさまざまな態様は、添付の図面に関してより完全に以下に記述される。しかしながら、この発明は、さまざまな形式で具体化され得て、この開示の全体にわたって示された任意の特有の構造あるいは機能に限定されるように解釈されるべきでない。むしろ、これらの態様はこの開示が完全になり完成するように提供され、そして、当業者に対して発明の範囲を十分に伝えるだろう。ここで教えることに基づいて、技術の熟練者は、発明の他の態様と独立してインプリメントされたか、発明の他の態様と結合したかにかかわらず、ここで開示された発明の範囲を伝えることが意図されることを評価するべきである、例えば、装置はインプリメントされ得る。あるいは、方法はここに述べられた任意の数の態様を使用して実行され得る。さらに、発明の範囲は、ここに述べられた発明のさまざまな態様に加えて、あるいはさまざまな態様以外に、他の構造、機能性、あるいは構造及び機能性を使用して実行されるような装置あるいは方法をカバーするように意図される。ここに示された発明のどんな態様も請求項の１つ以上の要素によって具体化されてもよいことが理解されるべきである。
【００２２】
無線ネットワークのいくつかの態様は今、図１に関して示されるだろう。無線ネットワーク１００は、ノード１１０および１２０として一般的に指示されるいくつかの無線ノードとともに示される。無線ノードはそれぞれ受信および／または送信することができる。続く詳細な記述では、用語「アクセスポイント」は送信するノードを指定するために使用される。また、用語「アクセス端末」はダウンリンク通信として受信ノードを指定するために使用される。しかし、用語「アクセスポイント」は受信ノードを指定するために使用される。また、用語「アクセス端末」はアップリンク通信として送信するノードを指定するために使用される。しかしながら、当業者は、アクセスポイントおよび／またはアクセス端末のために他の用語あるいは命名法が使用され得ることを容易に理解するだろう。例によって、アクセスポイントは、基地局、無線基地局、局、端末、ノード、アクセスポイントとして動作するアクセス端末、あるいは他のある適切な用語と呼ばれ得る。アクセス端末は、ユーザ端末、移動局、加入者設備、局、無線デバイス、端末、ノードあるいは他のある適切な用語と呼ばれてもよい。この開示の全体にわたって記載されたさまざまな概念は、それらの特定の命名法にかかわらずすべての適切な無線ノードに当てはまるように意図される。
【００２３】
無線ネットワーク１００は、アクセス端末１２０のための有効範囲を提供するために地理的な地域の全体を通して分配された多数のアクセスポイントを支援し得る。システム・コントローラ１３０は、アクセス端末１２０用の他のネットワーク（例えばインターネット）へのアクセスと同様に、アクセスポイントの調整およびコントロールを提供するために使用され得る。単純化のために、１つのアクセスポイント１１０が示される。アクセスポイントは、一般に報道の地理的な地域のアクセス端末にバックホールサービスを提供する固定端子である。しかし、アクセスポイントはいくつかの出願での移動体かもしれない。固定され、あるいは可動であり得るアクセス端末は、アクセスポイントのバックホールサービスを利用するか、あるいは他のアクセス端末を備えたピアツーピア通信を保証する。アクセス端末の例は電話（例えば携帯電話）、ラップトップコンピューター、デスクトップコンピューター、個人情報端末（Ｐｅｒｓｏｎａｌ  Ｄｉｇｉｔａｌ  Ａｓｓｉｓｔａｎｔ：ＰＤＡ）、デジタルオーディオプレーヤー（例えばＭＰ３プレーヤー）、カメラ、ゲーム機あるいは他の適切な無線ノードを含む。
【００２４】
無線ネットワーク１００はＭＩＭＯ技術をサポートし得る。ＭＩＭＯ技術を使用して、アクセスポイント１１０は同時に空間分割多元接続（Ｓｐａｔｉａｌ  Ｄｉｖｉｓｉｏｎ  Ｍｕｌｔｉｐｌｅ  Ａｃｃｅｓｓ：ＳＤＭＡ）を使用して、多元接続端末１２０で通信し得る。ＳＤＭＡは、同じ周波数チャネルを共有し、かつその結果より高いユーザ容量を提供するために異なる受信機に同時に送信された多数のストリームを可能にする多元接続スキームである。これは、空間的に各データストリームをあらかじめコード化しダウンリンク上の異なる送信アンテナを通して空間的に予めコード化されたストリームを送信することによって達成される。空間的に予めコード化されたデータストリームは、異なる空間の記号を備えたアクセス端末に到着し、それは各アクセス端末１２０がそのアクセス端末１２０のために予定されたデータストリームを回復することを可能にする。アップリンクにおいては、各アクセス端末１２０が空間にあらかじめコード化されたデータストリームを送信し、それは、アクセスポイント１１０が、各々空間的に予めコード化されたデータストリームのソースを識別することを可能にする。
【００２５】
１つ以上のアクセス端末１２０がある機能性を可能にするために多数のアンテナを装備していてもよい。この構成で、アクセスポイント１１０での多数のアンテナは付加的な帯域幅あるいは送信電力のなしでデータ効率を改善する多数のアンテナアクセスポイントと通信するために使用され得る。これは、異なる空間の記号を備えた多数のより低レートのデータストリームへ送信機で高データレート信号を分割し、それにより、受信機がこれらのデータストリームを多数のチャネルに分けて、かつ高いレートのデータ信号を回復するためにストリームを組み合わせることを可能にし得る。
【００２６】
さらに、次の開示の部分はＭＩＭＯ技術をサポートするアクセス端末について開示するだろう、一方、また、アクセスポイント１１０はＭＩＭＯ技術をサポートしないアクセス端末をサポートするように構成され得る。このアプローチは、適切なようにより新しいＭＩＭＯアクセス端末が導入されることを可能にする一方、アクセス端末（つまり「レガシー」端末）のより古いバージョンが、それらの有用な寿命を拡張して、無線ネットワークにおいて存続することを可能にし得る。
【００２７】
続く詳細な説明では、発明のさまざまな態様において、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）のようなどんな適切な無線技術もサポートするＭＩＭＯシステムに関して記載されるだろう。ＯＦＤＭは、適切な周波数で間隔を置かれて離れた多くのサブキャリアにわたってデータを配信する技術である。間隔は、受信機がサブキャリアからデータを回復することを可能にする「直交性」を提供する。ＯＦＤＭ方式はＩＥＥＥ  ８０２．１１、あるいは他のあるエアーインターフェース標準をインプリメントし得る。他の適切な無線技術は、例によって、符号分割多元接続（ＳＤＭＡ）、時分割多元接続（ＴＤＭＡ）、他の適切な無線技術、あるいは適切な無線技術の任意の組合せを含む。ＣＤＭＡシステムは、ＩＳ−２０００、ＩＳ−９５、ＩＳ−８５６、広帯域−符号分割多元接続（ＷＣＤＭＡ）あるいは他のある適切なエアーインターフェース標準でインプリメントし得る。ＴＤＭＡ方式は、モバイル通信モービルのためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））あるいは他のある適切なエアーインターフェース標準をインプリメントし得る。当業者が容易に評価するように、本発明のさまざまな態様は、どんな特有の無線技術および／またはエアーインターフェース標準に限定され得ない。
【００２８】
無線ノードは、アクセスポイントであろうとアクセス端末であろうと、無線ノードを共有無線チャネルに接続する全ての物理的および電気的仕様をインプリメントする物理（ＰＨＹ）層、共有無線チャネルへのアクセスを調整する媒体アクセス制御（Ｍｅｄｉｕｍ  Ａｃｃｅｓｓ  Ｃｏｎｔｒｏｌ：ＭＡＣ）層、および例によってスピーチとマルチメディアコーデックと図形処理を含むさまざまなデータ処理を実行するアプリケーション層を含む層構造を利用するプロトコルを用いてインプリメントされ得る。追加のプロトコル総（例えばネットワーク層、トランスポート層）は任意の特定のアプリケーションに必要であり得る。いくつかの構成において、無線ノードは、アクセスポイントとアクセス端末の間、あるいは２つのアクセス端末の間の中継所として動作し、したがって、アプリケーション層を要求しなくてもよい。当業者は、特有のアプリケーションおよび全面的なシステムに課された全面的な設計制約に依存する任意の無線ノードのための適切なプロトコルを容易にインプリメントすることができるだろう。
【００２９】
図２Ａは、チャネル割り当て機構２００におけるメッセージイベントの時系列を例示する。図２Ａにおいて、アクセスポイント（ＡＰ）は、４つのチャネルＣＨ１、ＣＨ２、ＣＨ３、ＣＨ４にわたって４つのアクセス端末ＡＴ１、ＡＴ２、ＡＴ３、ＡＴ４とメッセージを交換する。具体的には、ＡＰは、アクセス端末にチャネルを動的に割り付けるように構成される。アクセス端末とチャネルの数が制限されず、また、状況によって要求されるように、ＡＰは、任意の数のアクセス端末ＡＴに任意の数のチャネルを割り付け得ることが注目されるべきである。
【００３０】
ＡＰは、図１においてＡＰ１１０に相当し、また、アクセス端末ＡＴ１−ＡＴ４は、無線ネットワーク１００内のさまざまなアクセス端末ＡＴ１２０に相当し得る。
【００３１】
ＡＰは、利用可能で、ＡＰが支援することができるチャネルのリストを含んでいるメッセージをブロードキャストするかあるいはマルチキャストすることにより、チャネル割り当てを開始する。このメッセージは、フリーチャネル要求（ｆｒｅｅ  ｃｈａｎｎｅｌ  ｒｅｑｕｅｓｔ：ＦＣＲ）メッセージあるいは他のある命名として呼ばれ得る。例えば、図２Ａにおいて示されるように、ＡＰに支援された利用可能なチャネルは、チャネルＣＨ１、ＣＨ２、ＣＨ３、ＣＨ４である。ＡＰは、アクセス端末ＡＴ１−ＡＴ４に対するチャネルＣＨ１を横切ってＦＣＲＡＰ２０２にブロードキャストあるいはマルチキャストし得る。ＦＣＲメッセージは、アクセス端末に対するスケジュールがＡＰに応答するのと同様に、支援され、利用可能なチャネルのリストを含むブロードキャストあるいはマルチキャストになり得る。ＦＣＲＡＰ２０２メッセージは、チャネルＣＨ１−ＣＨ４のどれが通信に利用可能かを決定するためにアクセス端末ＡＴ１−ＡＴ４の各々をトリガする。チャネルＣＨ１が、ＡＰおよびアクセス端末ＡＴ１−ＡＴ４のすべてに利用可能で、ＡＰとアクセス端末が横切って通信し得る主要なチャネルとして見なされ得ることが注目されるべきである。更に、チャネルＣＨ２、ＣＨ３、ＣＨ４は、ＡＰに利用可能であるが、アクセス端末ＡＴ１−ＡＴ４のうちのいくらかに必ずしも利用可能でない副次的なチャネルであり得る。チャネルＣＨ１を横切ってＦＣＲ  ＡＰ  ２０２を放送する場合、さらに、ＡＰは、アクセス端末が、フリーチャネル要求メッセージにおいて示されたチャネルを横切って応答を送信するためにフリーであることをアクセス端末ＡＴ１−ＡＴ４に示すメッセージをブロードキャストする。このメッセージは送信許可（ｃｌｅａｒ−ｔｏ−ｓｅｎｄ：ＣＴＳ）メッセージあるいは他のある命名として呼ばれ得る。例えば、図２Ａにおいて示されるように、ＡＰは、チャネルＣＨ２、ＣＨ４、ＣＨ３をそれぞれ横切って、メッセージＣＴＳをＡＰ２２６、２３６、２４６にそれぞれブロードキャストする。後で記載されるように、ＣＴＳメッセージは、さらにチャネル予約メッセージとして役立ち得る。
【００３２】
ＦＣＲ  ＡＰ  ２０２メッセージに応じて、アクセス端末ＡＴ１−ＡＴ４の各々は、どのチャネルが利用可能か決めて、対応するアクセス端末に利用可能なチャネルのリストを含む応答メッセージを備えたＡＰに応答する。このメッセージは、フリーチャネルリスト応答（ＦＣＬ）メッセージあるいは他のある命名として呼ばれ得る。図２Ａにおいて示されるように、ＦＣＬメッセージは、ＦＣＲ  ＡＰ２０２メッセージ内に埋め込まれた応答スケジュールに従ってチャネルＣＨ１を横切ってＡＰに送信される。例えば、アクセス端末ＡＴ１−ＡＴ４は、連続するやり方において、ＡＰにＦＣＬ  ＡＴ１  ２０４、ＦＣＬ  ＡＴ２  ２０６、ＦＣＬ  ＡＴ３  ２０８、およびＦＣＬ  ＡＴ４  ２１０をそれぞれ送信する。しかしながら、そのような送信は必ずしも連続する必要がないが、その後図５−７に関して記述されるように、同時かもしれない。ＡＰへＦＣＬメッセージを送信することに加えて、アクセス端末ＡＴ１−ＡＴ４の各々は、そのアクセス端末に利用可能な各チャネル上のＡＰへＣＴＳメッセージを送信する。例えばチャネルＣＨ１、ＣＨ２、ＣＨ４はアクセス端末ＡＴ１に利用可能なただ一つのチャネルかもしれない。したがって、ＦＣＲ  ＡＰ  ２０２メッセージによって予定されるように、それはチャネルＣＨ１を横切ったＦＣＬ  ＡＴ１  ２０４と同様にチャネルＣＨ４を横切ってチャネルＣＨ２およびＣＴＳ  ＡＴ１  ２４８を横切ってＣＴＳ  ＡＴ１  ２２８を送信する。同様に、チャネルＣＨ１およびＣＨ４だけがアクセス端末ＡＴ２に利用可能であり得て、したがって、それはチャネルＣＨ１を横切ったＦＣＬ  ＡＴ２  ２０６と同様にチャネルＣＨ４を横切ってＣＴＳ  ＡＴ２  ２５０を送信する。チャネルＣＨ１、ＣＨ３、ＣＨ４は、アクセス端末ＡＴ３に利用可能なただ一つのチャネルであり得て、したがって、それはチャネルＣＨ１を横切ったＦＣＬ  ＡＴ３  ２０８と同様にチャネルＣＨ４を横切ってチャネルＣＨ３およびＣＴＳ  ＡＴ３  ２５２を横切ってＣＴＳ  ＡＴ３  ２３８を送信する。チャネルＣＨ１はアクセス端末ＡＴ４に利用可能なただ一つのチャネルであり得て、したがって、それはチャネルＣＨ１を横切ってＦＣＬ  ＡＴ４  ２１０を送信するだけである。
【００３３】
一旦、ＡＰが、アクセス端末ＡＴ１−ＡＴ４からのＦＣＬとＣＴＳのメッセージをすべて受信すれば、その後、ＡＰは、アクセス端末ＡＴ１−ＡＴ４へのデータ伝送スケジュールを計算し、アクセス端末の各々にチャネルＣＨ１−ＣＨ４の１つ以上を割り付け得る。データ伝送スケジュールおよびチャネル割り当ての計算は、例えばアクセス端末の各々へ送られるアクセス端末、チャネル品質、チャネルバンド幅およびデータ量の各々に利用可能なチャネルの数のように１あるいは複数の要因に基づき得る。図２Ａで示される例において、ＡＰは、アクセス端末ＡＴ４にチャネルＣＨ１を割り当て、アクセス端末ＡＴ１にチャネルＣＨ２を割り付けて、アクセス端末ＡＴ３にチャネルＣＨ３を割り当て、およびアクセス端末ＡＴ２にチャネルＣＨ４を割り付ける。そして、ＡＰは、ＡＰがそのアクセス端末に割り付けられたチャネルを横切ってそのアクセス端末への送信データに準備しているそれぞれのアクセス端末ＡＴ１−ＡＴ４の各１つを示すメッセージをブロードキャストする。このメッセージは、送信要求（ＲＴＳ）メッセージ、あるいは他のある命名として呼ばれ得る。例えば、図２Ａにおいて示されるように、ＡＰは、チャネルＣＨ１−ＣＨ４を横切ってＲＴＳをＡＰ  ２１２、２３０、２４０、２５４にそれぞれ送信する。代わりに、ＡＰは、チャネルＣＨ１−ＣＨ４のすべてを横切って同一のＲＴＳメッセージを放送し得て、そこでは、ＲＴＳは、アクセス端末ＡＴ１−ＡＴ４のすべてのためのチャネル配置スケジュールを含む。
【００３４】
それぞれのＲＴＳ  ＡＰメッセージ２１２、２３０、２４０、２５４の１つの受信について、ＡＰが、割り付けられたチャネルを横切ってデータを送信することにフリーであることをＡＰに示して、ＡＰによって割り付けられるように、アクセス端末ＡＴ１−ＡＴ４の各々はそのそれぞれのチャネルを横切ってＡＰへメッセージを送信する。さらに、そのようなメッセージはＣＴＳメッセージあるいは他のある命名として呼ばれ得る。例えば、図２Ａにおいて示されるように、アクセス端末ＡＴ１は、チャネルＣＨ２を横切ってＡＰにＣＴＳ  ＡＴ１  ２３２を送信し、アクセス端末ＡＴ２はチャネルＣＨ４を横切ってＡＰにＣＴＳ  ＡＴ２  ２５６を送信し、アクセス端末ＡＴ３は、チャネルＣＨ３を横切ってＡＰにＣＴＳ  ＡＴ３  ２４２を送信し、また、アクセス端末ＡＴ４は、チャネルＣＨ１を横切ってＡＰにＣＴＳ  ＡＴ４  ２１４を送信する。
【００３５】
一旦、ＡＰがＣＴＳメッセージ２１４、２３２、２４２および２５６を受信すれば、それは、それらのそれぞれの割り付けられたチャネルを横切って、データブロックＤＡＴ  Ａ１  ２３４、ＤＡＴ  Ａ２  ２５８、ＤＡＴＡ３  ２４４、およびＤＡＴ  Ａ４  ２１６をそれぞれアクセス端末ＡＴ１−ＡＴ４へ送信する。例えば、図２Ａにおいて示されるように、ＡＰ送信データは、チャネルＣＨ１を横切ってアクセス端末ＡＴ４へデータブロックＡＴＡ４  ２１６を送信し、チャネルＣＨ２を横切ってアクセス端末ＡＴ１へのデータブロックＤＡＴＡ１  ２３４を送信し、チャネルＣＨ３を横切ってアクセス端末ＡＴ３へのデータブロックＤＡＴＡ３  ２４４を送信し、チャネルＣＨ４を横切ってアクセス端末ＡＴ２へのデータブロックＤＡＴＡ２  ２５８を送信する。データブロック２１６、２３４、２４４および２５８の各々は、１つ以上の物理層データパケットあるいはそれの任意の部分、変化するサイズ異なる型のデータをも含み得て、また他の情報の間で、それぞれのアクセス端末についての肯定応答（ＡＣＫ）送信スケジュールを備えたヘッダーを含む。
【００３６】
アクセス端末ＡＴ１−ＡＴ４がそれぞれのデータブロックＤＡＴＡ１−ＤＡＴＡ４を受信した後において、アクセス端末ＡＴ１−ＡＴ４は、それぞれのデータブロックＤＡＴＡ１−ＤＡＴＡ４における埋め込み型のＡＣＫ送信予定に従って、チャネルＣＨ１を経由してＡＰにＡＣＫメッセージＡＣＫ  ＡＴ１  ２１８、ＡＣＫ  ＡＴ２  ２２０、ＡＣＫ  ＡＴ４  ２２２およびＡＣＫ  ＡＴ３  ２２４を送信する。ＡＣＫブロック２１８、２２０、２２２および２２４の各々は、それぞれのアクセス端末でＡＰにデータの成功した受信を示す。
【００３７】
ＡＰとアクセス端末ＡＴ１−ＡＴ４の間で交換された各メッセージ間で、情報が送信されない期間が存在することは注目されるべきである。この期間は短い構造間スペース（ｓｈｏｒｔ  ｉｎｔｅｒｆｒａｍｅ  ｓｐａｃｅ：ＳＩＦＳ）あるいは他のある命名として呼ばれ得る。ＳＩＦＳの目的は、答えるためにＡＰまたはアクセス端末がとることができる時の量の制限により、ＡＰとアクセス端末ＡＴ１−ＡＴ４の間のデータ交換の速度を増加させることであり。また、時間の量を制限することによって、レスポンスを受け取るＡＰとアクセス端末は、受信モードにおいて残り得る。さらに、ＳＦＩＳは、誤りについて、受信メッセージおよびチェックを処理するために、アクセス端末とアクセスポイントのために機会を提供し、その結果、アクセス端末は、それぞれのデータブロックの成功の受信を示すＡＣＫブロックを送信することをひるませることを決定する。
【００３８】
さらに、ＡＰあるいはアクセス端末ＡＴ１−ＡＴ４のいずれかからのＦＣＲ、ＦＣＬ、ＲＴＳ、およびＣＴＳメッセージの送信が、送信の範囲内にあるが特有のメッセージが意図されないアクセス端末またはデバイスにおける応答をトリガすることが注目されるべきである。このレスポンスは前もって決定された持続の間それぞれのチャネル上の送信デバイスから送信を保護し、ネットワーク割当てベクトル（ｎｅｔｗｏｒｋ  ａｌｌｏｃａｔｉｏｎ  ｖｅｃｔｏｒ：ＮＡＶ）応答と呼ばれ得る。ＮＡＶ応答の前もって決定された期間は、同様にＮＡＶ期間と呼ばれ得る。図２Ａにおいて示されるように、ＡＰおよびアクセス端末ＡＴ１−ＡＴ４は、実時間をだますためにＮＡＶ持続を使用し、チャネルは隠れたアクセス端末によって外側の干渉からチャネルを保護するために占領されるだろう。ＡＰおよびアクセス端末ＡＴ１−ＡＴ４によってセットされたＮＡＶ持続の例は、図２Ａの中で示され、ＡＰ  ＮＡＶ、ＡＴ１  ＮＡＶ、ＡＴ２  ＮＡＶ、ＡＴ３  ＮＡＶおよびＡＴ４  ＮＡＶとして指示される。
【００３９】
図２Ｂは、チャネル割り当て機構２８０においてメッセージイベントの時系列を例示する。機構２８０は図２Ａの機構２００に類似しているが、ＡＣＫメッセージ２１８、２２０、２２２および２２４の送信のためのソース利用において異なる。特に、図２Ｂにおいて示されるように、ＡＣＫメッセージは、チャネルＣＨ１、ＣＨ２、ＣＨ３、およびＣＨ４を横切ってアクセス端末ＡＴ１−ＡＴ４によって同時にそれぞれ送信され得る。ここで、ＡＣＫメッセージは、それらがＡＰからのトランスミッションを受信したチャネルを横切ってアクセス端末ＡＴ１−ＡＴ４によって送信される。
【００４０】
図３は、チャネル割り当て機構３００におけるメッセージイベントの時系列を例示する。機構３００は図２Ａの機構２００に類似しているが、ＡＣＫメッセージ３１８、３２０、３２２および３２４の送信において異なる。特に、図３に示されるように、ＡＣＫメッセージはＳＤＭＡ機構を介してチャネルＣＨ１を横切ってアクセス端末ＡＴ１−ＡＴ４によって同時に送信され得る。ＡＰによる受信にについて、ＡＣＫメッセージは、ＡＰ受信アンテナに関するそれらの空間位置に基づいて分離され同時に復号される。このように、チャネル割り当て機構３００は、チャネルＣＨ１を横切る送信の期間を本質的に縮小し得る。
【００４１】
図３のＦＣＲ  ＡＰ、ＦＣＬ  ＡＴ１−ＡＴ４、ＣＴＳ  ＡＰ、ＣＴＳ  ＡＴ１−ＡＴ４、ＲＴＳ  ＡＰ、およびＤＡＴＡ１−ＤＡＴＡ４のメッセージ３０２−３１６および３２６−３５８は、図２Ａのメッセージ２０２−２１６および２２６−２５８のそれにそれぞれ相当し、また、そういうものとして、それぞれの記載は省略される。
【００４２】
図４は、チャネル割り当て機構４００におけるメッセージイベントの時系列を例示する。機構４００は、少数の方法において図３の機構３００とは異なる。図４に示されるように、フリーチャネルリスト応答メッセージＦＣＬ  ＡＴ１  ４０４、ＦＣＬ  ＡＴ２  ４０６、ＦＣＬ  ＡＴ３  ４０８およびＦＣＬ  ＡＴ４  ４１０は、ＳＤＭＡ機構を介してチャネルＣＨ１を横切ってアクセス端末ＡＴ１−ＡＴ４によって同時に送信され得る。ＡＰがＡＣＫメッセージ４１８−４２４を行うように、ＡＰはＦＣＬメッセージを分離し同時に復号する。
【００４３】
機構４００は、さらに、チャネルＣＨ１を横切ってアクセス端末ＡＴ１−ＡＴ４からＡＰまで付加的なＣＴＳメッセージＣＴＳ  ＡＴ１  ４６０、ＣＴＳ  ＡＴ２  ４６２、ＣＴＳ  ＡＴ３  ４６４およびＣＴＳ  ＡＴ４  ４６６の送信を含む。これらのＣＴＳメッセージは、ＦＣＲ  ＡＰ  ４０２の内に埋め込まれた送信予定によって送信される。チャネルＣＨ２−ＣＨ４を横切ったＣＴＳメッセージＣＴＳ  ＡＴ１−ＡＴ４の送信を用いたように、チャネルＣＨ１を横切ってアクセス端末ＡＴ１−ＡＴ４の各々から送信されたＣＴＳメッセージは、それぞれのアクセス端末ＡＴ１−ＡＴ４にチャネルＣＨ１を横切って応答を送信することがフリーであることをＡＰに示す。
【００４４】
ＦＣＲ  ＡＰ、ＣＴＳ  ＡＰ、ＣＴＳ  ＡＴ１−ＡＴ４、ＲＴＳ  ＡＰおよびＤＡＴＡ１−ＤＡＴＡ４メッセージ４０２を送信し図４のうちの４１２−４５８の機構は、図３の、メッセージ３０２および３１２−３５８のそれにそれぞれ相当する。また、そういうものとして、それぞれの記述は省略される。
【００４５】
図５は、チャネル割り当て機構５００におけるメッセージイベントの時系列を例示する。機構５００は図４の機構４００に類似しているが、ＣＴＳメッセージ５４８、５５０、５５２、５６０、５６２、５６６の送信において異なる。特に、図５に示されるように、ＣＴＳメッセージＣＴＳ  ＡＴ１  ５４８、ＣＴＳ  ＡＴ２  ５５０およびＣＴＳ  ＡＴ３  ５５２は、ＳＤＭＡ機構を介してチャネルＣＨ４を横切ってアクセス端末ＡＴ１−ＡＴ３によって同時に送信され得る。同様に、ＣＴＳメッセージＣＴＳ  ＡＴ１  ５６０、ＣＴＳ  ＡＴ２  ５６２、ＣＴＳ  ＡＴ３  ５６４およびＣＴＳ  ＡＴ４  ５６６は、ＳＤＭＡ機構によってチャネルＣＨ１を横切ってアクセス端末ＡＴ１−ＡＴ４によって同時に送信され得る。ＣＴＳメッセージの受信について、ＡＰは、ＣＴＳメッセージを分離し同時に復号し、アクセス端末についても送信スケジュールを計算し、チャネルＣＨ１−ＣＨ４を割り当てるためにＦＣＬメッセージ５０４−５１０を受信し、同様に分離し、同時に復号する。
【００４６】
図５のメッセージ５０２−５４６および５５４−５５８を送信する機構は、図４のメッセージ４０２−４４６および４５４−４５８のそれにそれぞれ相当し、そして、そういうものとして、それぞれの記載は省略される。
【００４７】
図６は、ＰＨＹ層の例を例示する概念のブロック図である。送信モードにおいて、ＴＸデータ処理装置６０２は、ＭＡＣ層からデータを受信するのに使用され、受信ノードで順方向誤り修正（ＦＥＣ）を促進するためにデータを符号化（例えばＴｕｒｂｏコード）し得る。符号化処理は、変調シンボルのシーケンスを生成するために、ＴＸデータプロセッサ６０２によって一緒にブロック化され、信号の配列へマッピングされ得るコードのシンボルのシーケンスという結果になる。
【００４８】
ＯＦＤＭをインプリメントする無線ノードにおいて、ＴＸデータ処理装置６０２からの変調シンボルは、ＯＦＤＭモジュレータ６０４に提供され得る。ＯＦＤＭ変調器は並列ストリームへ変調シンボルを分割する。そして、各ストリームは、それぞれＯＦＤＭのサブキャリアにマッピングされ、次に、時間領域のＯＦＤＭストリームを生成するために逆高速フーリエ変換（Ｉｎｖｅｒｓｅ  Ｆａｓｔ  Ｆｏｕｒｉｅｒ  ｔｒａｎｓｆｏｒｍ：ＩＦＦＴ）をともに使用して組み合わせられる。
【００４９】
ＴＸ空間プロセッサ６０６は、ＯＦＤＭストリーム上で空間処理を行なう。これは、各ＯＦＤＭを予め復号し、空間的に予めコード化された各ストリームをトランシーバ６０６を介して異なるアンテナへ提供することによって完成され得る。送信器６０６はそれぞれ、無線チャネル上の送信のためのそれぞれの予め復号されたストリームを備えたＲＦキャリアを変調する。
【００５０】
受信モードにおいて、各トランシーバ６０６は、そのそれぞれのアンテナ６０８によって信号を受信する。各トランシーバ６０６は、ＲＦキャリア上に変調された情報を回復し、かつＲＸの空間プロセッサ６１０に情報を提供するために使用され得る。
【００５１】
ＲＸ空間プロセッサ６１０は、無線ノード６００のために予定された任意の空間ストリームを回復するために、情報について空間処理を実行する。空間の処理は、チャネル相関マトリックス反転（Ｃｈａｎｎｅｌ  Ｃｏｒｒｅｌａｔｉｏｎ  Ｍａｔｒｉｘ  Ｉｎｖｅｒｓｉｏｎ：ＣＣＭＩ）、最小平均二乗誤差（Ｍｉｎｉｍｕｍ  Ｍｅａｎ  Ｓｑｕａｒｅ  Ｅｒｒｏｒ：ＭＭＳＥ）、ソフト干渉相殺（Ｓｏｆｔ  Ｉｎｔｅｒｆｅｒｅｎｃｅ  Ｃａｎｃｅｌｌａｔｉｏｎ：ＳＩＣ）、あるいは他のある適切な技術に従って行なわれ得る。多数の空間ストリームが無線ノード６００に対して予定される場合、それらはＲＸ空間プロセッサ６１０によって組み合わせられ得る。
【００５２】
ＯＦＤＭをインプリメントする無線ノードにおいて、ＲＸ空間プロセッサ６１０からのストリーム（あるいは結合したストリーム）は、ＯＦＤＭ復調器６１２に提供される。ＯＦＤＭ復調器６１２は高速フーリエ変換（Ｆａｓｔ  Ｆｏｕｒｉｅｒ  Ｔｒａｎｓｆｅｒ：ＦＦＴ）を使用して、流れ（あるいは結合した流れ）を時間領域から周波数領域に変換する。周波数領域信号は、ＯＦＤＭ信号の各サブキャリアの分離したストリームを備える。ＯＦＤＭ復調器６１２は、各サブキャリア上で運ばれたデータ（つまり変調シンボル）を回復し、変調シンボルのストリームへデータを多重化する。
【００５３】
ＲＸデータ処理装置６１４は、信号の配列の正確なポイントに変調シンボルを変換して戻すために使用され得る。無線チャネルの雑音および他の妨害のために、変調シンボルは、オリジナルの信号の配列のポイントの正確な位置に相当しなくてもよい。ＲＸデータ処理装置６１４は、どの変調シンボルが、最もおそらく、信号の配列における有効シンボルの受信ポイントと位置の間の最も小さな距離を見つけることによって送信されたかを検知する。これらの軟判定は、例えば、与えられた変調シンボルに関連したコードシンボルの長尤度比（Ｌｏｇ−Ｌｉｋｅｌｉｈｏｏｄ  Ｒａｔｉｏ：ＬＬＲ）を計算するためにターボ（Ｔｕｒｂｏ）コードの場合には使用され得る。そして、ＲＸデータ処理装置６１４は、ＭＡＣ層にデータを提供する前に本来送信されるデータを解読するためにコードシンボルＬＬＲのシーケンスを使用する。
【００５４】
図７は、無線ノードにおける処理システムのためのハードウェア構成の例を例示する概念図である。この例において、処理システム７００は、バス７０２で一般に表わされるバス方式でインプリメントされ得る。バス７０２は、処理システム７００および全面的な設計制約の特定の出願に依存する、相互に連結するバスおよびブリッジのどんな数も含んでいてもよい。バスは、プロセッサ７０４、機械読み取り可能な媒体７０６、およびバスインタフェース７０８を含むさまざまな回路にリンクする。バスインタフェース７０８は、バス７０２を介して処理システム７００に、他の物の間で、ネットワークアダプタ７１０を接続するために使用され得る。ネットワークインターフェース７１０は、ＰＨＹ層の信号処理機能を実行するために使用され得る。アクセス端末１１０（図１を参照）の場合において、さらに、ユーザインタフェース７１２（例えばキーパッド、ディスプレイ、マウス、ジョイスティックなど）は、バスに接続され得る。バス７０２は、さらにタイミングソース、周辺装置、電圧レギュレータ、パワー管理回路などのようなさまざまな他の回路にリンクし得る、それは技術において良く知らており、したがって、それ以上記述されないだろう。
【００５５】
プロセッサ７０４は、機械読み取り可能な媒体７０６上に格納されたソフトウェアの実行を含むバスの管理および一般的な処理に対して責任がある。プロセッサ７０４は、１台以上の汎用のプロセッサおよび／または専用プロセッサでインプリメントされ得る。例は、マイクロプロセッサ、マイクロコントローラ、ＤＳＰプロセッサ、およびソフトウェアを実行することができる他の回路類を含む。ソフトウェア、ファームウェア、ミドルウェア、マイクロコード、ハードウェア記述言語と呼ばれ、あるいはそうでなく呼ばれたとしても、ソフトウェアは命令、データあるいはそれの任意の組合せを意味するために広く解釈されるだろう。機械可読媒体は、例によって、ＲＡＭ（ランダムアクセスメモリ）、フラッシュメモリー、ＲＯＭ（リードオンリメモリ）、ＰＲＯＭ（プログラム可能なリードオンリメモリ）、ＥＰＲＯＭ（消去可能なプログラマブルＲＯＭ）、ＥＥＰＲＯＭ（電気的に消去可能なプログラマブルＲＯＭ）、レジスタ、磁気ディスク、光ディスク、ハードドライブ、あるいは他の適切な記憶媒体、あるいはそれの任意の組合せを含み得る。機械読み取り可能なものは、コンピュータプログラム製品で具体化され得る。コンピュータプログラム製品は、パッケージ材料を備え得る。
【００５６】
図７に例示されたハードウェアのインプリメンテーションにおいて、機械読み取り可能な媒体７０６は、プロセッサ７０４と離れている処理システム７００の一部として示される。しかしながら、当業者が容易に評価するように、機械読み取り可能な媒体７０６、あるいはそれの任意の部分は、処理システム７００の外側にあり得る。例によって、機械読み取り可能な媒体７０６は、伝送路、データによって変調されたキャリア、および／または無線ノードと分離されているコンピュータ製品を含み得て、それらは全てバスインタフェース７０８を通してプロセッサ７０４によってアクセスされ得る。代わりに、あるいは加えて、機械読み取り可能な媒体７０６、あるいは、それの任意の部分は、場合がキャッシュおよび／または汎用のレジスタファイルとともに存在するように、プロセッサ７０４へ統合され得る。
【００５７】
処理システム７００は、全て外部バスアーキテクチャを通って他の支援する回路類とともにリンクされる、機械読み取り可能な媒体７０６の少なくとも１つの部分を提供するプロセッサ機能性および外部記憶を提供する１個以上のマイクロプロセッサを備えた汎用の処理システムとして構成され得る。代わりに、処理システム７００は、プロセッサ７０４、バスインタフェース７０８、（アクセス端末の場合の）ユーザインタフェース７１２、支援回路類（示されない）、シングルチップへ統合された機械読み取り可能な媒体７０６のおよび少なくとも１つの部分を備え、あるいは１つ以上のＦＰＧＡ（フィールドプログラマブルゲートアレイ）、ＰＬＤ（プログラム可能な論理デバイス）、コントローラ、ステートマシン、ゲートのあるロジック、個別のハードウェア構成機器、あるいは他の適切な回路類、あるいは、この開示を通して記載されたさまざまな機能を実行することができる回路の任意の組合せを備えたＡＳＩＣ（応用に特有な集積回路）でインプリメントされ得る。当業者は、どのようにして、全体のシステムに課された特定のアプリケーションおよび全面的な設計制約に依存する処理システム７００ための記載された機能をインプリメントするのが最良かを認識するだろう。
【００５８】
機械読み取り可能な媒体７０６は、多くのソフトウェアモジュールで示される。ソフトウェアモジュールは命令を含んでいる、プロセッサ７０４によって実行された時、処理システム７００に様々な関数を行なわせる。各ソフトウェアモジュールは、単一の記憶装置に存在し得るか、あるいは多数の記憶デバイスにわたって分配され得る。例によって、トリガイベントが生じる場合に、ソフトウェアモジュールは、ハードドライブからＲＡＭにロードされ得る。ソフトウェアモジュールの実行の間に、プロセッサ７０４は、アクセス速度を増加させるためにキャッシュに命令のうちのいくつかをロードし得る。そして、１本以上のキャッシュ線がプロセッサ７０４による実行のための汎用レジスタファイルにロードされ得る。ソフトウェアモジュールの下記の機能性を参照する時、そのソフトウェアモジュールからの命令を実行する場合、そのような機能性がプロセッサ７０４によってインプリメントされることが理解されるだろう。
【００５９】
機械読み取り可能な媒体は、チャネル割り当てモジュール７１４およびデータ転送モジュール７１６で示される。チャネル割り当てモジュール７１４は、例えば、ＡＰ１１０、およびさまざまなアクセス端末ＡＴ１２０およびＡＴ１−ＡＴ４のような無線ノードでチャネル割り当て処理プロセスのすべてあるいは部分を実行するために使用され得る。データ転送モジュール７１６は、無線ノード間でデータ転送ブロック（例えばＤＡＴＡ１−ＤＡＴＡ４）および肯定応答メッセージ（例えばＡＣＫ  ＡＴ１−ＡＣＫ  ＡＴ４）を制御するために使用され得る。
【００６０】
チャネル割り当てモジュール７１４およびデータ転送モジュール７１６の組合せによってインプリメントされてもよいもののようなチャネル割り当ておよびデータ転送処理８００の一例は、図８に例示されたフローチャートに関して今記載されるだろう。チャネル割り当ておよびデータ転送処理８００は、さまざまな他の無線ノード（例えばＡＴ）にチャネルを割り付けることに応答する無線ノード（例えばＡＰ）で具体的に実行され得る。より具体的には、ブロック８０２の処理は、ブロック８０４−８０８のそれと同様に、ＡＰのチャネル割り当てモジュール７１４によって実行され得る。しかし、例えば、ブロック８１０−８１２の処理は、ＡＰのデータ転送モジュール７１６によって行なわれ得る。
【００６１】
図８に示されるように、ブロック８０２において、アクセス端末チャネルアクセス情報の要求は作成される。例えば、ＡＰは、ＡＰに利用可能なチャネルのリストで複数のアクセス端末へ、それら自身のチャネルアクセスの可能性のリストに応答して複数のアクセス端末をトリガするＦＣＲメッセージを送信し得る。
【００６２】
ブロック８０４において、チャネルアクセス可能性情報は受信される。例えば、ＡＰは、アクセス端末に利用可能であるチャネルを示すアクセス端末の各々からＦＣＬメッセージを受信し得る。
【００６３】
ブロック８０６において、チャネルは、受信アクセス可能性情報に基づいてアクセス端末に割り当てられる。例えば、ＡＰは、アクセス端末の各々にチャネルのうちの１つを割り付け、信号をデータを送信する準備ができている各アクセス端末に割り当てる。
【００６４】
ブロック８０８において、送信データへの認証は受信される。例えば、ＡＰは、ＡＰがそれぞれのチャネル上でデータを送ることが明らかであることを示すアクセス端末のおのおのからＣＴＳメッセージを受信する。
【００６５】
ブロック８１０において、データは、チャネル割り当てに基づいてアクセス端末へ送信される。例えば、ＡＰは、特有の割り付けられたチャネルを横切ってアクセス端末の各々へ特有のＤＡＴＡブロックを送信し得る。
【００６６】
ブロック８１２において、肯定応答は受信され、また、処理は終了する。例えば、アクセス端末は、各々、それぞれのＤＡＴＡブロックの受信を示す肯定応答メッセージをそれぞれ送信し得る。
【００６７】
チャネル割り当てモジュール７１４およびデータ転送モジュール７１６の組合せによってインプリメントされ得るもののようなチャネル割り当て処理９００の別の例は、図９に例示されたフローチャートに関して今記述されるだろう。チャネル割り当て処理９００は、特に他の無線ノード（例えばＡＰ）によってチャネルの割当てを助けることの責任が無線ノード（例えばＡＴ）で実行され得る。より具体的には、ブロック９０２−９１０の処理は、ＡＴのチャネル割り当てモジュール７１４によって実行され得るが、例えば、ブロック９１２−９１４の処理は、ＡＴのデータ転送モジュール７１６によっても実行され得る。
【００６８】
図９に示されるように、ブロック９０２において、チャネルアクセス情報の要請は受信される。例えば、複数の各々のアクセス端末は、それぞれのアクセス端末に利用可能なチャネルのリストを備えた応答を要求するＡＰからＦＣＲメッセージを受信し得る。
【００６９】
ブロック９０４において、アクセス端末に利用可能なチャネルは決定される。例えば、アクセス端末の各々は、チャネルのどれがアクセス端末に利用可能か決めてもよい。
【００７０】
ブロック９０６において、チャネルアクセス可能性情報は送信される。例えば、アクセス端末の各々は、そのアクセス端末に利用可能なチャネルを示すＦＣＬメッセージを送信し得る。
【００７１】
ブロック９０８において、チャネル割り当て情報は受信される。例えば、アクセス端末の各々は、アクセス端末に本質的にそのチャネルを割り当てて、それぞれのチャネル上でＲＴＳメッセージを受信し得る。
【００７２】
ブロック９１０において、データ伝送は認証される。例えば各々、アクセス端末は、ＡＰがデータを送信し得ることを示す、それぞれの割り当てられたチャネルを横切ってＡＰへＣＴＳメッセージを送信し得る。
【００７３】
ブロック９１２において、データは割り付けられたチャネル上で受信される。例えば、アクセス端末は、各々それぞれの割り当てられたチャネルを横切ってＡＰからＤＡＴＡブロックを受信し得る。
【００７４】
ブロック９１４では、肯定応答は送信される。例えば、アクセス端末の各々は、ＡＰにそれぞれのＤＡＴＡブロックの受信を示す認証メッセージＡＣＫを送信し得る。
【００７５】
図１０は、装置の機能性の例を例示するブロック図である。この例において、装置１０００は、複数のチャネルのアクセス可能性を決定するためのモジュール１００２、およびアクセス可能性に基づいてトランシーバから１つ以上のノードまでのデータ伝送に先立って１つ以上のノードに動的に複数のチャネルを割り当てるためのモジュール１００４を含む。モジュール１００２は、上記に記載されたアクセスポイントＡＰ１１０（図１参照）によってあるいは他のある適切な手段によってインプリメントされ得る。同様に、モジュール１００４は、さらに、アクセスポイントＡＰ１１０によって、あるいは他のある適切な手段によってインプリメントされ得る。
【００７６】
図１１は、装置の機能性の例を例示するブロック図である。この例において、装置１１００は、ノードから装置へのデータ送信に先立ってノードに、見られた１つ以上のフリーチャネルに関係する情報を提供するモジュール１００２、および１つ以上のフリーチャネルの少なくとも１つについてのデータ伝送を受信するためモジュール１１０４を含む。モジュール１１０２は、上で記載されたアクセス端末ＡＴ１２０によって、あるいは、他のある適切な手段によってインプリメントされ得る。同様に、モジュール１１０４は、さらに、アクセス端末ＡＴ１２０によって、あるいは他のある適切な手段によってインプリメントされ得る。
【００７７】
図１２は、装置の機能性の例を例示するブロック図である。この例において、装置１２００は、データ伝送に先立って別のアクセス端末から複数個のチャネルの動的に割当てを受信するためのモジュール１２０２、およびチャネル上でデータ伝送を他のアクセス端末からデータ伝送を受信するためのモジュール１２０４を含む。モジュール１２０２は、上に記載されたアクセス端末ＡＴ１２０によって、あるいはいくつかの他の適切な手段によってインプリメントされ得る。同様に、さらに、モジュール１２０４は、アクセス端末ＡＴ１２０によって、あるいは他のある適切な手段によってインプリメントされ得る。
【００７８】
ソフトウェアモジュールのコンテキストに記載された任意の特有の順序あるいはステップの階層は、無線ノードの例を提供するために示されていることは、理解される。設計の好みに基づいて、発明の範囲内に残るとともに、ステップの特有の順序あるいは階層が再整理され得ることは理解される。
【００７９】
本発明のさまざまな態様は、ソフトウェアのインプリメンテーションと記載されたが、当業者は、この開示の全体にわたって示されたさまざまなソフトウェアモジュールが、ハードウェア、あるいはソフトウェアとハードウェアの任意の組合せにおいてインプリメントされ得ることを容易に認識するだろう。これらの態様がハードウェアまたはソフトウェアにおいてインプリメントされるかどうかは、全体のシステムに課された特定のアプリケーションと設計制約に依存する。熟練した技術者は、各特定のアプリケーションの方法を変えることにおいて記載された機能性をインプリメントし得るが、そのようなインプリメンテーションの決定は発明の範囲からの離脱を引き起こすとは解釈されるべきでない。
【００８０】
前の記述は、どんな当業者が発明の十分な範囲を十分に理解することを可能にするために提供される。ここに示されたさまざまな構成の修正は、当業者に容易に明白になるだろう。したがって、請求項は、ここに記載された発明のさまざまな態様に限定されるようには意図されないが、請求項の言語と一致する十分な範囲を与えられることになっている、そして、ここで、単数における要素への言及は、具体的にそのように記載しない限り、「１つおよび１つだけ」を意味するようには意図されず、むしろ「１以上」を意味するよう意図される。特に別記しない限り、用語「いくらか」は１以上を指す。技術における通常の技術のものにしられているか後で知られるようになるこの開示の全体にわたって記述されたさまざまな態様の要素に対する全ての構造的および機能的な等価物は、参照によって明らかにここに組込まれ、請求項によって包含されるように意図される。さらに、ここに示された何も、そのような開示が請求項で明示的に詳述されるかどうかにかかわらず公に捧げられるようには意図されない。もし要素が、「ための手段」のフレーズを使用して明示的に引用され、または、方法クレームの場合において要素が「のためのステップ」のフレーズを使用して引用されない限り、どの請求項の要素は、３５の米国特許法第１１２条第６パラグラフの条件の下で解釈されるべきでない。
【図１】
2012501581.tif 000003
【図２Ａ】
2012501581.tif 000004
【図２Ｂ】
2012501581.tif 000005
【図３】
2012501581.tif 000006
【図４】
2012501581.tif 000007
【図５】
2012501581.tif 000008
【図６】
2012501581.tif 000009
【図７】
2012501581.tif 000010
【図８】
2012501581.tif 000011
【図９】
2012501581.tif 000012
【図１０】
2012501581.tif 000013
【図１１】
2012501581.tif 000014
【図１２】
2012501581.tif 000015
【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
トランシーバ、
および前記トランシーバから１つ以上のノードまでのデータ伝送に先立って前記１つ以上のノードに複数のチャネルを動的に割り当てるように構成される処理システム
を備え、
前記処理システムは、さらに、１つ以上のノードとメッセージを交換するように構成され、前記処理システムは、さらに、交換したメッセージに応じてチャネルを動的に１つ以上のノードに割り当てるように構成され、
前記処理システムは、さらに、前記処理システムによって見られたフリーチャネルのリストを含む要求（ＦＣＲ）をフリーチャネルの１つで1つ以上のノードに送ることによって１つ以上のノードとメッセージを交換するように構成され、
前記処理システムは、さらに、前記処理システムからの前記要求（ＦＣＲ）に応じて１つ以上のノードの各々によって見られた１つ以上のフリーチャネルのリストを受信することによって１つ以上のノードとメッセージを交換するように構成され、
前記トランシーバは、さらに、前記リスト（ＦＣＬ）の受信の後に１つ以上のノードに割り当てられたチャネルの各々で（ＲＴＳ）メッセージを送るように構成される
通信のための装置。
【請求項２】
前記チャネルが複数の周波数チャネルを含む請求項１の装置。
【請求項３】
前記処理システムが、さらに、マルチキャストのためのトランシーバへメッセージの１つ以上を提供することによりメッセージを交換するよう構成される請求項１の装置。
【請求項４】
前記処理システムが、さらに、ブロードキャストのためのトランシーバへメッセージの１つ以上を提供することによりメッセージを交換するように構成される請求項１の装置。
【請求項５】
前記トランシーバが、さらに、前記処理システムによって見られたフリーチャネルの各々についてのチャネル予約情報を送信するように構成される請求項１の装置。
【請求項６】
前記チャネル予約情報は、フリーチャネルの前記１つについてのメッセージを交換するための時間持続に関係する請求項５の装置。
【請求項７】
前記処理システムが、さらに、リストにフリーチャネルの前記１つのためのチャネル予約情報を埋め込むように構成される請求項５の装置。
【請求項８】
前記処理システムが、さらに、応答を送信するために、１つ以上のノードの各々についてのタイムスケジュールをリストに埋め込むように構成される請求項１の装置。
【請求項９】
前記処理システムが、さらに、応答を送信するために前記１つ以上のノードの各々についての付加的なソース情報を埋め込むように構成される請求項８の装置。
【請求項１０】
前記付加的なソース情報が、空間、周波数、時間、データレート、あるいはコードの少なくとも１つに関する情報を備える請求項９の装置。
【請求項１１】
前記処理システムが、さらに、前記割り当てられたチャネルのうちの１つについて前記１つの以上のノードの各１つからリストを受信するよう構成される請求項１の装置。
【請求項１２】
前記処理システムが、さらに、前記割り当てられたチャネルの前記１つのについて異なる空間のサブチャネル上の前記１つ以上のノードからリストを受信するように構成される請求項１１の装置。
【請求項１３】
前記処理システムが、さらに、前記割り当てられたチャネルの前記１つについて１つ以上のＯＦＤＭシンボルの異なるサブキャリア上の前記１つ以上のノードからリストを受信するように構成される請求項１１の装置。
【請求項１４】
前記処理システムが、さらに、メッセージを送るために要求の各々においてチャネル予約情報を埋め込むよう構成される請求項１の装置。
【請求項１５】
前記チャネル予約情報が、メッセージを送るための要求が送信されるチャネルでデータを送るための時間の持続に関係する請求項１の装置。
【請求項１６】
前記レシーバーが、割り当てられたチャネル上の前記１つ以上のノードに送信し、および前記割り当てられたチャネルのうちの１つの上の前記１つ以上のノードから肯定応答を受信するように構成される請求項１の装置。
【請求項１７】
前記肯定応答の各々が、ブロック肯定応答を備える請求項１６の装置。
【請求項１８】
前記処理システムが、さらに、前記割り当てられたチャネルの前記１つのおける異なる空間のサブチャネル上の前記１つ以上のノードから肯定応答を受信するように構成される請求項１６の装置。
【請求項１９】
ノードから装置へのデータ伝送に先立って、前記処理システムによって見られた１つ以上のフリーチャネルに関係する情報をノードに供給するよう構成される処理システム、
および１つ以上のフリーチャネルの少なくとも１つの上でデータ伝送を受信するように構成されるトランシーバ
を備え、
前記処理システムは、さらに、１つ以上のノードとメッセージを交換するように構成され、前記処理システムは、さらに、交換したメッセージに応じてチャネルを動的に１つ以上のノードに割り当てるように構成され、
前記処理システムは、さらに、前記処理システムによって見られたフリーチャネルのリストを含む要求（ＦＣＲ）をフリーチャネルの１つで1つ以上のノードに送ることによって１つ以上のノードとメッセージを交換するように構成され、
前記処理システムは、さらに、前記処理システムからの前記要求（ＦＣＲ）に応じて１つ以上のノードの各々によって見られた１つ以上のフリーチャネルのリストを受信することによって１つ以上のノードとメッセージを交換するように構成され、
前記トランシーバは、さらに、前記リスト（ＦＣＬ）の受信の後に１つ以上のノードに割り当てられたチャネルの各々で（ＲＴＳ）メッセージを送るように構成される
通信のための装置。
【請求項２０】
前記１つ以上のフリーチャネルの各々が、複数の周波数チャネルを含む請求項１９の装置。
【請求項２１】
前記処理システムが、さらに、前記ノードからのマルチキャストに応じてノードに情報を提供するよう構成される請求項１９の装置。
【請求項２２】
処理システムが、さらに、前記ノードからのブロードキャストに応じてノードに情報を提供するように構成される請求項１９の装置。
【請求項２３】
トランシーバが、さらに、受信されたリストに応答して前記１つ以上のフリーチャネルの各々の上でチャネル予約情報を送信するように構成される請求項１９の装置。
【請求項２４】
前記トランシーバによって送信された前記チャネル予約情報が前記受信されたリストに埋め込まれたチャネル予約情報と関係がある請求項２３の装置。
【請求項２５】
前記トランシーバが、さらに、リストを受信する他のノードからのチャネル予約情報と共に同時に前記チャネル予約情報を送信するように構成される請求項２３の装置。
【請求項２６】
前記処理システムが、さらに、受信されたリストに埋め込まれたタイムスケジュールに基づいてノードに情報を提供するように構成される請求項１９の装置。
【請求項２７】
前記トランシーバが、さらに、前記１つ以上のフリーチャネルのうちの１つの空間のサブチャネル上で情報を送信するように構成される請求項１９の装置。
【請求項２８】
前記トランシーバが、さらに、前記１つ以上のフリーチャネルのうちの１つの上で１つ以上のＯＦＤＭシンボルの異なるサブキャリアについての情報を送信するように構成される請求項１９の装置。
【請求項２９】
前記トランシーバが、さらに、前記１つ以上のフリーチャネルの前記少なくとも１つの各々の上でノードからデータ伝送のためのチャネル予約メッセージを受信するように構成される請求項１９の装置。
【請求項３０】
前記トランシーバが、さらに、前記１つ以上のフリーチャネルの前記少なくとも１つの各々について前記ノードからデータ伝送のためのチャネル予約メッセージを送信するように構成される請求項１９の装置。
【請求項３１】
前記チャネル予約メッセージが、データ伝送のための時間持続を示す請求項３０の装置。
【請求項３２】
前記トランシーバが、前記１つ以上のフリーチャネルの前記少なくとも１つの各々の上でデータ伝送に応答してノードに肯定応答を送信するように構成される請求項１９の装置。
【請求項３３】
前記肯定応答が、ブロック肯定応答を備える請求項３２の装置。
【請求項３４】
トランシーバが、さらに、前記１つ以上のフリーチャネルのうちの１つの空間サブチャネル上で肯定応答を送信するように構成される請求項３２の装置。
【請求項３５】
データ伝送に先立って他のアクセス端末から複数のチャネルの動的割り当てを受信するように構成される処理システム、
および前記チャネル上で前記他のアクセス端末からデータ伝送を受信するように構成されるトランシーバ
を備え、
前記処理システムは、さらに、１つ以上のノードとメッセージを交換するように構成され、前記処理システムは、さらに、交換したメッセージに応じてチャネルを動的に１つ以上のノードに割り当てるように構成され、
前記処理システムは、さらに、前記処理システムによって見られたフリーチャネルのリストを含む要求（ＦＣＲ）をフリーチャネルの１つで1つ以上のノードに送ることによって１つ以上のノードとメッセージを交換するように構成され、
前記処理システムは、さらに、前記処理システムからの前記要求（ＦＣＲ）に応じて１つ以上のノードの各々によって見られた１つ以上のフリーチャネルのリストを受信することによって１つ以上のノードとメッセージを交換するように構成され、
前記トランシーバは、さらに、前記リスト（ＦＣＬ）の受信の後に１つ以上のノードに割り当てられたチャネルの各々で（ＲＴＳ）メッセージを送るように構成される
アクセス端末。
【請求項３６】
前記チャネルが、複数の周波数チャネルを備える請求項３５のアクセス端末。
【請求項３７】
前記トランシーバが、さらに、前記受信されたリストに応答してフリーチャネルの各々の上でチャネル予約情報を送信するように構成される請求項３５のアクセス端末。
【請求項３８】
前記トランシーバによって送信されたチャネル予約情報が、前記受信リストに埋め込まれたチャネル予約情報と関係がある請求項３７のアクセス端末。
【請求項３９】
前記処理システムが、さらに、前記受信されたリストに埋め込まれた時間情報に基づいて前記他のアクセス端末に情報を提供するように構成される請求項３５のアクセス端末。
【請求項４０】
前記トランシーバが、さらに、前記タンネルの各々の上で前記他のアクセス端末からデータ伝送のためのチャネル予約メッセージを受信するよう構成される請求項３５のアクセス端末。
【請求項４１】
前記トランシーバが、さらに、前記チャネルの各々の上でデータ伝送のためのチャネル予約メッセージを送信するように構成される請求項３５のアクセス端末。
【請求項４２】
前記チャネル予約メッセージが、データ伝送のための時間持続を示す請求項４１のアクセス端末。
【請求項４３】
前記トランシーバが、前記チャネルの各々の上で前記データ伝送に応答して前記他のアクセス端末に肯定応答を送信するように構成される請求項３５のアクセス端末。
【請求項４４】
前記肯定応答が、ブロック肯定応答を備える請求項４３のアクセス端末。
【請求項４５】
トランシーバから１つ以上のノードまのでデータ伝送に先立って前記１つ以上のノードに動的に複数のチャネルを割り当てることを備え、
さらに、１つ以上のノードとメッセージを交換すること、および交換されたメッセージに応じてチャネルを１つ以上のノードに動的に割り当てることを備え、
前記メッセージを交換することは、見られたフリーチャネルのリストを含む要求（ＦＣＲ）をフリーチャネルの１つの上の１つ以上のノードに送ることによってメッセージを交換することを備え、
前記メッセージを交換することは、前記要求（ＦＣＲ）に応じて１つ以上のノードによって見られた１つ以上のフリーチャネルリスト（ＦＣＬ）を受信することによって１つ以上のノードとメッセージを交換することを備え、
さらに、リストの受信の後に１つ以上のノードへ、割り当てられたチャネルの各々で（ＲＴＳ）メッセージを送ることを備える
通信のための方法。
【請求項４６】
前記チャネルが、複数の周波数チャネルを備える請求項４５の方法。
【請求項４７】
前記メッセージの交換が、マルチキャストについて前記トランシーバへのメッセージの１つ以上を供給することによりメッセージを交換することを備える請求項４５の方法。
【請求項４８】
前記メッセージの交換が、ブロードキャストについて前記トランシーバへの前記メッセージの１つ以上を供給することにより前記メッセージを交換することを備える請求項４５の方法。
【請求項４９】
見られたフリーチャネルの各々でチャネル予約情報を送信することをさらに備える請求項４５の方法。
【請求項５０】
前記チャネル予約情報が、前記フリーチャネルの前記１つの上で前記メッセージの交換のための時間持続に関係がある請求項４９の方法。
【請求項５１】
リストにおいてフリーチャネルの前記１つのためのチャネル予約情報を埋め込むことをさらに含む請求項４９の方法。
【請求項５２】
応答を送信するために前記１つ以上のノードの各々のためのタイムスケジュールを埋め込むことをさらに含む請求項４５の方法。
【請求項５３】
応答を送信するために前記１つ以上のノードの各々の上で付加的なソース情報を埋め込むことをさらに備える請求項５２の方法。
【請求項５４】
前記付加的なソース情報が、空間、周波数、時間、データレート、あるいはコードの少なくとも１つに関する情報を備える請求項５３の方法。
【請求項５５】
前記割り当てられたチャネルのうちの１つの上で前記１つ以上のノードの各１つからリストを受信することをさらに備える請求項４５の方法。
【請求項５６】
前記リストの前記受信が、前記割り当てられたチャネルの前記１つについての異なる空間サブチャネル上の前記１つ以上のノードから前記リストを受信することをさらに備える、請求項５５の方法。
【請求項５７】
前記リストの前記受信が、前記割り当てられたチャネルの前記１つについての１つ以上のＯＦＤＭシンボルの異なるサブキャリア上の前記１つ以上のノードから前記リストを受信することをさらに備える請求項５５の方法。
【請求項５８】
メッセージを送るために要求各々においてチャネル予約情報を埋め込むことをさらに備える請求項４５の方法。
【請求項５９】
前記チャネル予約情報が、メッセージを送るための要求が送信されたチャネル上でデータを送るための時間持続に関係がある請求項４５の方法。
【請求項６０】
前記割り当てられたチャネルの前記１つ以上のノードに送信すること、
および前記割り当てられたチャネルのうちの１つの上で前記１つ以上のノードから肯定応答を受け取ること
をさらに備える請求項４５の方法。
【請求項６１】
前記肯定応答の各々が、ブロック肯定応答を備える請求項６０の方法。
【請求項６２】
前記割り当てられたチャネルの前記１つにおける異なる空間サブチャネル上で前記１つ以上のノードから肯定応答を受信することをさらに備える請求項６０の方法。
【請求項６３】
ノードからのデータ伝送に先立ってノードへ、見られた１つ以上のフリーチャネルに関係する情報を提供すること、
および前記１つ以上のフリーチャネルの少なくとも１つの上でデータ伝送を受信すること
を備え、
さらに、ノードからのチャネルのリストを含む要求（ＦＣＲ）を受信することを備え、前記ノードに提供される前記情報における１つ以上のフリーチャネルが受信されたリストから選択され、
さらに、ノードからの要求（ＦＣＲ）に応じて見られた１つ以上のフリーチャネルのリスト（ＦＣＬ）を送信することによって前記ノードとメッセージを交換することを備え、
さらに、前記リスト（ＦＣＬ）の送信後にノードによって割り当てられたチャネルの各々で（ＲＴＳ）メッセージを送るために要求を受信することを備える
通信のための方法。
【請求項６４】
前記１つ以上のフリーチャネルの各々が、複数の周波数チャネルを備える請求項６３の方法。
【請求項６５】
提供することは、さらに、前記ノードからのマルチキャストに応答して前記ノードに情報を提供することを備える請求項６３の方法。
【請求項６６】
提供することが、さらに、前記ノードからのブロードキャストに応答して前記ノードに情報を提供することを備える請求項６３の方法。
【請求項６７】
さらに、前記受信されたリストに応答して前記１つ以上のフリーチャネルの各々でチャネル予約情報を送信すること備える請求項６３の方法。
【請求項６８】
送信された前記チャネル予約情報が、前記受信されたリストが埋め込まれたチャネル予約情報と関係がある請求項６７の方法。
【請求項６９】
前記リストを受け取る他のノードからチャネル予約情報と共に同時に前記チャネル予約情報を送信することをさらに備える請求項６７の方法。
【請求項７０】
前記提供することが、前記受信されたリストに埋め込まれたタイムスケジュールに基づいてノードに情報を提供することをさらに備える請求項６３の方法。
【請求項７１】
前記１つ以上のフリーチャネルのうちの１つの空間サブチャネルについての情報を送信することをさらに備える請求項６３の方法。
【請求項７２】
前記１つ以上のフリーチャネルのうちの１つの上の１つ以上のＯＦＤＭシンボルの異なるサブキャリアについての情報を送信することをさらに備える請求項６３の方法。
【請求項７３】
前記１つ以上のフリーチャネルの少なくとも１つの各々のノードからデータ伝送のためのチャネル予約メッセージを受信することを、さらに備える請求項６３の方法。
【請求項７４】
前記１つ以上のフリーチャネルの前記少なくとも１つの各々のデータ伝送のためのチャネル予約メッセージを送信することをさらに備える請求項６３の方法。
【請求項７５】
チャネル予約メッセージが、データ伝送のための時間持続を示す請求項７４の方法。
【請求項７６】
前記１つ以上のチャネルの前記少なくとも１つの各々のデータ伝送に応答して前記ノードに肯定応答を送信することをさらに備える請求項６３の方法。
【請求項７７】
前記肯定応答が、ブロック肯定応答を備える請求項７６の方法。
【請求項７８】
前記肯定応答を送信することが、１つ以上のフリーチャネルのうちの１つの空間サブチャネル上の肯定応答を送信することを備える請求項７６の方法。
【請求項７９】
データ伝送に先立って他のアクセス端末から複数のチャネルの動的割り当てを受信すること、
および前記チャネル上の前記他のアクセス端末からデータ伝送を受信すること
を備え、
さらに、データ送信に先立って前記他のアクセス端末情報を提供することを備え、前記情報はフリーチャネルに関係し、フリーチャネルは動的に割り当てられたチャネルを備え、
さらに、前記アクセス端末からのチャネルのリストを含む要求（ＦＣＲ）を受信することを備え、前記他のアクセス端末に提供された情報におけるフリーチャネルは、受信されたリストから選択され、
さらに、前記他のアクセス端末からの要求（ＦＣＲ）に応じて１つ以上のフリーチャネルのリスト（ＦＣＬ）を送信することによって前記他のアクセス端末とメッセージの交換することを備え、
さらに、前記リストの送信後に前記他のアクセス端末によって割り当てられた前記チャネルの各々で（ＲＴＳ）メッセージを送るために要求を受信することを備える
通信のための方法。
【請求項８０】
前記チャネルが、複数の周波数チャネルを備える請求項７９の方法。
【請求項８１】
受信されたリストに応答してフリーチャネルの各々でチャネル予約情報を送ることさらに備える請求項７９の方法。
【請求項８２】
送信された前記チャネル予約情報が、受信されたリストに埋め込まれていたチャネル予約情報と関係がある請求項８１の方法。
【請求項８３】
前記情報を提供することが、受信されたリストにおいて埋め込まれた時間情報に基づいて前記他のアクセス端末に情報を提供することを備える請求項７９の方法。
【請求項８４】
前記チャネルの各々で前記他のアクセス端末からデータ伝送のためのチャネル予約メッセージを受信することをさらに含む請求項７９の方法。
【請求項８５】
各チャネル上のデータ伝送のためのチャネル予約メッセージを送信することをさらに備える請求項７９の方法。
【請求項８６】
チャネル予約メッセージが、データ伝送のための時間持続を示す請求項８５の方法。
【請求項８７】
前記チャネルの各々の上のデータ伝送に応答して前記他のアクセス端末に肯定応答を送信することをさらに備える請求項７９の方法。
【請求項８８】
前記肯定応答が、ブロック肯定応答を備える請求項８７の方法。
【請求項８９】
複数のチャネルのアクセス可能性を決定するための手段、
およびアクセス可能性に基づいてトランシーバから１つ以上のノードまでのデータ伝送に先立って前記１つ以上のノードに動的に複数のチャネルを割り当てるための手段
を備え、
さらに、１つ以上のノードとメッセージを交換するための手段、および交換されたメッセージに応じて前記１つ以上のノードに前記チャネルを動的に割り付けるための手段とを備え、
メッセージを交換するための前記手段は、さらに、見られたフリーチャネルのリストを含む要求（ＦＣＲ）を前記フリーチャネルの前記１つ以上のノードに送るように構成され、
メッセージを交換するための前記手段は、さらに、前記要求（ＦＣＲ）に応じて１つ以上のノードの各々によって見られた１つ以上のフリーチャネルのリスト（ＦＣＬ）を受信することによって１つ以上のノードとメッセージを交換するように構成され、
メッセージを交換するための前記手段は、さらに、リスト（ＦＣＬ）の受信の後に、割り当てられた前記チャネルで（ＲＴＳ）メッセージを前記１つ以上のノードに送るように構成される
通信のための装置。
【請求項９０】
前記チャネルが、複数の周波数チャネルを備える請求項８９の装置。
【請求項９１】
メッセージを交換するための前記手段が、マルチキャスト対するトランシーバへメッセージの１つ以上を供給することによりメッセージを交換するように構成される請求項８９の装置。
【請求項９２】
メッセージを交換するための前記手段が、ブロードキャストのためのトランシーバへメッセージの１つ以上を供給することによりメッセージを交換するように構成される請求項８９の装置。
【請求項９３】
見られたフリーチャネルの各々についてのチャネル予約情報用を送信するための段をさらに備える請求項８９の装置。
【請求項９４】
前記チャネル予約情報が、フリーチャネルの前記１つにおいてメッセージを交換するための時間持続に関係がある請求項９３の装置。
【請求項９５】
フリーチャネルの前記１つについてのチャネル予約情報をリストに埋め込むための手段をさらに備える請求項９３の装置。
【請求項９６】
応答を送信するために前記１つ以上のノードの各々についてのタイムスケジュールをリストに埋め込むため手段をさらに備える請求項８９の装置。
【請求項９７】
応答を送信するために前記１つ以上のノードの各々についての付加的なソース情報を埋め込むための手段をさらに備える請求項９６の装置。
【請求項９８】
前記付加的なソース情報が、空間、周波数、時間、データレート、あるいはコードの少なくとも１つについての情報を備える請求項９７の装置。
【請求項９９】
メッセージを交換するための手段が、要求に応答して前記１つ以上のノードの各々によって見られた１つ以上のフリーチャネルのリストを受信することにより前記１つ以上のノードとメッセージを交換するように構成される請求項８９の装置。
【請求項１００】
前記割り付けられたチャネルのうちの１つの上で前記１つ以上のノードの各１つからリストを受信するための手段をさらの備える請求項９９の装置。
【請求項１０１】
前記リストを受信するための手段が、前記割り付けられたチャネルの前記１つについての異なる空間サブチャネル上の前記１つ以上のノードからリストを受信するように構成される請求項１００の装置。
【請求項１０２】
前記リストを受信するための手段が、前記割り付けられたチャネルの前記１つについての１つ以上のＯＦＤＭシンボルの異なるサブキャリア上の前記１つ以上のノードから前記リストを受信するように構成される請求項１００の装置。
【請求項１０３】
前記１つ以上のノードに割り当てられたチャネルの各々の上でメッセージを送信するために要求を送信するための手段をさらに備える請求項８９の装置。
【請求項１０４】
メッセージを送るためにチャネル予約情報を要求の各々に埋め込むための手段をさらに備える請求項１０３の装置。
【請求項１０５】
前記チャネル予約情報が、メッセージを送るための要求が送信されるチャネル上でデータを送るための時間持続に関係がある請求項１０３の装置。
【請求項１０６】
割り付けられたチャネル上の前記１つ以上のノードに送信するための手段、
および前記割り付けられたチャネルのうちの１つの上の前記１つ以上のノードから肯定応答を受信するための手段
をさらに備える請求項８９の装置。
【請求項１０７】
前記肯定応答の各々が、ブロック肯定応答を含む請求項１０６の装置。
【請求項１０８】
前記割り付けられたチャネルの前記１つにおいて異なる空間サブチャネル上の前記１つ以上のノードから肯定応答を受信するための手段をさらに備える請求項１０６の装置。
【請求項１０９】
ノードから装置へのデータ伝送に先立ってノードへ、見られた１つ以上のフリーチャネルに関係のある情報を提供するための手段と、
および前記１つ以上のフリーチャネルの少なくとも１つの上のデータ伝送を受信するための手段
を備え、
ノードからのチャネルのリストを含む要求（ＦＣＲ）を受信することによって前記ノードとメッセージを交換するための手段をさらに備え、前記ノードに提供された情報における１つ以上のフリーチャネルが前記受信されたリストから選択され、
メッセージを交換するための前記手段は、さらに、ノードからの要求（ＦＣＲ）に応じて見られた１つ以上のフリーチャネルのリストを送信するよう構成され、
メッセージを交換するための前記手段は、さらに、リスト（ＦＣＬ）の送信後に割り当てられたチャネルの各々で（ＲＴＳ）メッセージを装置に送るように構成される
通信のための装置。
【請求項１１０】
前記１つ以上のフリーチャネルの各々が、複数の周波数チャネルを含む請求項１０９の装置。
【請求項１１１】
提供するための前記手段が、前記ノードからのマルチキャストに応答して前記ノードに前記情報を提供するように構成される請求項１０９の装置。
【請求項１１２】
提供するための前記手段が、前記ノードからのブロードキャストに応答して前記ノードに前記情報を提供するように構成される請求項１０９の装置。
【請求項１１３】
受信されたリストに応答して前記１つ以上のフリーチャネルの各々でチャネル予約情報を送信するための手段をさらに備える請求項１０９の装置。
【請求項１１４】
送信された前記チャネル予約情報が、受信されたリストに埋め込まれたチャネル予約情報と関係がある請求項１１３の装置。
【請求項１１５】
リストを受信する他のノードからチャネル予約情報と同時に前記チャネル予約情報を送信するための手段をさらに備える請求項１１３の装置。
【請求項１１６】
提供するための前記手段が、前記受信されたリストに埋め込まれたタイムスケジュールに基づいて前記ノードに情報を提供するように構成される請求項１０９の装置。
【請求項１１７】
前記１つ以上のフリーチャネルのうちの１つの空間サブチャネルについての情報を送信するための手段をさらに備える請求項１０９の装置。
【請求項１１８】
前記１つ以上のフリーチャネルのうちの１つの上の１つ以上のＯＦＤＭシンボルの異なるサブキャリアについての情報を送信するための手段をさらに備える請求項１０９の装置。
【請求項１１９】
前記１つ以上のフリーチャネルの前記少なくとも１つの各々のノードからデータ伝送のためのチャネル予約メッセージを受信するための手段をさらに備える請求項１０９の装置。
【請求項１２０】
前記１つ以上のフリーチャネルの前記少なくとも１つの各々の前記ノードからデータ伝送のためのチャネル予約メッセージを送信するため手段をさらに備える請求項１０９の装置。
【請求項１２１】
前記チャネル予約メッセージが、データ伝送のための時間持続を示す請求項１１０の装置。
【請求項１２２】
前記１つ以上のチャネルの前記少なくとも１つの各々のデータ伝送に応答して前記ノードに肯定応答を送信するための手段をさらに備える請求項１１１の装置。
【請求項１２３】
前記肯定応答が、ブロック肯定応答を備える請求項１２２の装置。
【請求項１２４】
前記送信のための手段が、前記１つ以上のチャネルのうちの１つの空間サブチャネル上で前記肯定応答を送信するように構成される請求項１２２の装置。
【請求項１２５】
データ伝送に先立って他のアクセス端末から複数のチャネルの動的な割り当てを受信するための手段、
および前記チャネル上の前記他のアクセス端末からのデータ伝送を受信するための手段
を備え、
データ送信に先立って前記他のアクセス端末に情報を提供するための手段をさらに備え、前記情報は、アクセス端末によって見られたフリーチャネルに関係し、前記フリーチャネルは動的に割り当てられたチャネルを含み、
前記他のアクセス端末からのチャネルのリストを含む要求（ＦＣＲ）を受信することによって前記他のアクセス端末とメッセージを交換することをさらに備え、前記他のアクセス端末に提供された情報におけるフリーチャネルは前記受信されたリストから選択され、
メッセージを交換するための前記手段は、さらに、ノードからの要求（ＦＣＲ）に応じて見られた１つ以上のフリーチャネルもリスト（ＦＣＬ）を送信するように構成され、
メッセージを交換するための前記手段は、さらに、リスト（ＦＣＬ）の送信後に、割り当てられたチャネルの各々で（ＲＴＳ）メッセージを前記アクセス端末に送るように構成される
アクセス端末。
【請求項１２６】
前記チャネルが、複数の周波数チャネルを備える請求項１２５のアクセス端末。
【請求項１２７】
受信されたリストに応じてフリーチャネルの各々でチャネル予約情報を送信するための手段をさらに備える請求項１２５のアクセス端末。
【請求項１２８】
送信されたチャネル予約情報が、受信されたリストに埋め込まれたチャネル予約情報と関係がある請求項１２７のアクセス端末。
【請求項１２９】
情報を提供する手段が、前記受信されたリストに埋め込まれた時間情報に基づいて前記他のアクセス端末に情報を提供するように構成される請求項１２９のアクセス端末。
【請求項１３０】
前記チャネルの各々で前記他のアクセス端末からデータ伝送のためのチャネル予約メッセージを受信するための手段をさらに備える請求項１２５のアクセス端末。
【請求項１３１】
前記チャネルの各々でデータ伝送のためのチャネル予約メッセージを送信するための手段をさらに備える請求項１２５のアクセス端末。
【請求項１３２】
チャネル予約メッセージが、データ伝送のための時間持続を示す請求項１３１のアクセス端末。
【請求項１３３】
前記チャネルの各々でデータ伝送に応じて前記他のアクセス端末に肯定応答を送信するための手段をさらに備える請求項１２５のアクセス端末。
【請求項１３４】
前記肯定応答が、ブロック肯定応答を備える請求項１３３のアクセス端末。
【請求項１３５】
ネットワークへピアノードに対するバックホール接続を支援するように構成される無線ネットワークアダプタ、
トランシーバ、
および前記トランシーバから前記１つ以上のノードまでデータ伝送に先立って１つ以上のノードに複数のチャネルを割り当てるように構成される処理システム
を備え、
前記処理システムは、さらに、１つ以上のノードとメッセージを交換するように構成され、前記処理システムは、さらに、前記交換されたメッセージに応じて前記１つ以上のノードに前記チャネルを動的に割り当てるように構成され、
前記処理システムは、さらに、前記処理システムによって見られたフリーチャネルのリストを含む要求（ＦＣＲ）を前記フリーチャネルの１つで１つ以上のノードに送ることによって前記１つ以上のノードと前記メッセージを交換するよう構成され、
前記処理システムは、さらに、前記処理システムからの前記要求（ＦＣＲ）に応じて前記１つ以上のノードの各々によって見られた１つ以上のフリーチャネルのリスト（ＦＣＬ）を受信することによって前記１つ以上のノードとメッセージを交換するように構成され、
前記トランシーバは、さらに、リスト（ＦＣＬ）の受信後に割り当てられたチャネルの各々で、（ＲＴＳ）メッセージを送るために要求を送信するように構成される
アクセスポイント。
【請求項１３６】
前記ノードから前記装置へデータ伝送に先立ってノードに、前記処理システムによって見られた１つ以上のフリーチャネルに関係する情報を提供するように構成される処理システム、
前記１つ以上のフリーチャネルの少なくとも１つでのデータ伝送を受信するように構成されるトランシーバ、
および処理システムに支援されたユーザインタフェース
を備え、
前記トランシーバは、さらに、ノードからのチャネルのリストを含む要求（ＦＣＲ）を受信するように構成され、前記処理システムによって提供された情報における前記１つ以上のフリーチャネルが、受信されリストから選択され、
前記処理システムは、ノードからの要求（ＦＣＲ）に応じて前記処理システムによって見られた１つ以上のフリーチャネルのリスト（ＦＣＬ）を送信することによってノードとメッセージを交換するよう構成され、
前記トランシーバは、さらに、前記リスト（ＦＣＬ）の送信後に割り当てられたチャネルの各々で（ＲＴＳ）メッセージをアクセス端末に送る
アクセス端末。
【請求項１３７】
トランシーバから１つ以上のノードまでデータ伝送に先立って前記１つ以上のノードに複数のチャネルを動的に割り当てること、
１つ以上のノードとメッセージを交換し、および交換されたメッセージに応じて前記１つ以上のノードに前記チャネルを動的に割り当てることであって、
ここで前記メッセージを交換することは、見られたフリーチャネルのリストを含む要求（ＦＣＲ）を前記フリーチャネルの１つで前記１つ以上のノードに送ることによって前記１つ以上のノードとメッセージを交換することを備え、
ここで前記メッセージを交換することは、要求（ＦＣＲ）に応じて１つ以上のノードの各々によって見られた１つ以上のフリーチャネルのリスト（ＦＣＬ）を受信することによって１つ以上のノードとメッセージの交換することを備える、交換し割り当てること、
および前記リスト（ＦＣＬ）の受信の後に割り当てられたチャネルの各々で（ＲＴＳ）メッセージを前記１つ以上のノードに送るために要求を送信すること
が実行可能な命令で符号化された機械読み取り可能な媒体を備える通信のためのコンピュータプログラム製品。
【請求項１３８】
ノードからのデータ伝送に先立ってノードに処理システムによって見られた１つ以上のフリーチャネルに関係のある情報を提供すること、
前記１つ以上のフリーチャネルの少なくとも１つでトランシーバによるデータ伝送を受信すること、
前記ノードからチャネルのリストを含む要求（ＦＣＲ）を受信することであって、ここで、前記ノードに提供される情報における前記１つ以上のフリーチャネルが受信されたリストから選択される、受信すること、
ノードからの要求（ＦＣＲ）に応じて見られた１つ以上のフリーチャネルのリスト（ＦＣＬ）を送信することによって前記ノードとメッセージを交換すること、
および前記リスト（ＦＣＬ）の送信後にノードによって割り当てられた前記チャネルの各々で（ＲＴＳ）メッセージを送るために要求を受信すること
が処理システムによって実行可能な命令で符号化された機械読み取り可能な媒体を備える通信のためのコンピュータプログラム製品。
【請求項１３９】
データ伝送に先立ってアクセス端末から複数のチャネルの動的な割り当てを受信すること、
およびチャネル上のアクセス端末からデータ伝送を受信すること
データ転送に先立って前記アクセス端末に情報を提供することであって、前記情報は見られたフリーチャネルに関係し、ここで、フリーチャネルは動的に割り当てられたチャネルを含む、提供することと、
前記アクセス端末からのチャネルのリストを含む要求（ＦＣＲ）を受信することであって、前記アクセス端末に提供された情報におけるフリーチャネルが受信されるリストから選択される、受信すること、
前記アクセス端末からの前記要求（ＦＣＲ）に応じて見られた１つ以上のフリーチャネルのリスト（ＦＣＬ）を送信することによって前記アクセス端末とメッセージを交換すること、
前記リスト（ＦＣＬ）の送信後に前記アクセス端末によって割り当てられたチャネルの各々で（ＲＴＳ）メッセージを送るために要求を受信すること
が実行可能な命令で符号化された機械読み取り可能な媒体を備える通信のためのコンピュータプログラム製品。
【手続補正２】
【補正対象書類名】明細書
【補正対象項目名】００８０
【補正方法】変更
【補正の内容】
【００８０】
前の記述は、どんな当業者が発明の十分な範囲を十分に理解することを可能にするために提供される。ここに示されたさまざまな構成の修正は、当業者に容易に明白になるだろう。したがって、請求項は、ここに記載された発明のさまざまな態様に限定されるようには意図されないが、請求項の言語と一致する十分な範囲を与えられることになっている、そして、ここで、単数における要素への言及は、具体的にそのように記載しない限り、「１つおよび１つだけ」を意味するようには意図されず、むしろ「１以上」を意味するよう意図される。特に別記しない限り、用語「いくらか」は１以上を指す。技術における通常の技術のものにしられているか後で知られるようになるこの開示の全体にわたって記述されたさまざまな態様の要素に対する全ての構造的および機能的な等価物は、参照によって明らかにここに組込まれ、請求項によって包含されるように意図される。さらに、ここに示された何も、そのような開示が請求項で明示的に詳述されるかどうかにかかわらず公に捧げられるようには意図されない。もし要素が、「ための手段」のフレーズを使用して明示的に引用され、または、方法クレームの場合において要素が「のためのステップ」のフレーズを使用して引用されない限り、どの請求項の要素は、３５の米国特許法第１１２条第６パラグラフの条件の下で解釈されるべきでない。
以下に、本願出願当初の特許請求の範囲に記載された発明を付記する。
［１］トランシーバ、および前記トランシーバから１つ以上のノードまでのデータ伝送に先立って前記１つ以上のノードに複数のチャネルを動的に割り当てるように構成される処理システム
を含む通信のための装置。
［２］前記チャネルが複数の周波数チャネルを含む［１］の装置。
［３］前記処理システムが、さらに、１つ以上のノードとメッセージを交換するよう構成され、その交換されたメッセージに応答して１つ以上のノードにチャネルを動的に割り当てるよう構成される［１］の装置。
［４］前記処理システムが、さらに、マルチキャストのためのトランシーバへメッセージの１つ以上を提供することによりメッセージを交換するよう構成される［３］の装置。
［５］前記処理システムが、さらに、ブロードキャストのためのトランシーバへメッセージの１つ以上を提供することによりメッセージを交換するように構成される［３］の装置。
［６］前記処理システムが、さらに、フリーチャネルのうちの１つの上の１つ以上のノードに前記処理システムに見られたフリーチャネルのリストを送ることにより１つ以上のノードとメッセージを交換するように構成される［３］の装置。
［７］前記トランシーバが、さらに、前記処理システムによって見られたフリーチャネルの各々についてのチャネル予約情報を送信するように構成される［６］の装置。
［８］前記チャネル予約情報は、フリーチャネルの前記１つについてのメッセージを交換するための時間持続に関係する［７］の装置。
［９］前記処理システムが、さらに、リストにフリーチャネルの前記１つのためのチャネル予約情報を埋め込むように構成される［７］の装置。
［１０］前記処理システムが、さらに、応答を送信するために、１つ以上のノードの各々についてのタイムスケジュールをリストに埋め込むように構成される［６］の装置。
［１１］前記処理システムが、さらに、応答を送信するために前記１つ以上のノードの各々についての付加的なソース情報を埋め込むように構成される［６］の装置。
［１２］前記付加的なソース情報が、空間、周波数、時間、データレート、あるいはコードの少なくとも１つに関する情報を備える［１１］の装置。
［１３］前記処理システムが、さらに、前記処理システムからの要求に応答して前記１つ以上のノードの各々によって見られた１つ以上のフリーチャネルのリストを受信することにより、前記１つ以上のノードとメッセージを交換するよう構成される［３］の装置。
［１４］前記処理システムが、さらに、前記割り当てられたチャネルのうちの１つについて前記１つの以上のノードの各１つからリストを受信するよう構成される［１３］の装置。
［１５］前記処理システムが、さらに、前記割り当てられたチャネルの前記１つのについて異なる空間のサブチャネル上の前記１つ以上のノードからリストを受信するように構成される［１４］の装置。
［１６］前記処理システムが、さらに、前記割り当てられたチャネルの前記１つについて１つ以上のＯＦＤＭシンボルの異なるサブキャリア上の前記１つ以上のノードからリストを受信するように構成される［１４］の装置。
［１７］前記トランシーバが、さらに、前記１つ以上のノードに割り当てられた前記チャネルの各々においてメッセージを送信するために要求を送信するように構成される［１］の装置。
［１８］前記処理システムが、さらに、メッセージを送るために要求の各々においてチャネル予約情報を埋め込むよう構成される［１７］の装置。
［１９］前記チャネル予約情報が、メッセージを送るための要求が送信されるチャネルでデータを送るための時間の持続に関係する［１７］の装置。
［２０］前記レシーバーが、割り当てられたチャネル上の前記１つ以上のノードに送信し、および前記割り当てられたチャネルのうちの１つの上の前記１つ以上のノードから肯定応答を受信するように構成される［１］の装置。
［２１］前記肯定応答の各々が、ブロック肯定応答を備える［２０］の装置。
［２２］前記処理システムが、さらに、前記割り当てられたチャネルの前記１つのおける異なる空間のサブチャネル上の前記１つ以上のノードから肯定応答を受信するように構成される［２０］の装置。
［２３］ノードから装置へのデータ伝送に先立って、前記処理システムによって見られた１つ以上のフリーチャネルに関係する情報をノードに供給するよう構成される処理システム、および１つ以上のフリーチャネルの少なくとも１つの上でデータ伝送を受信するように構成されるトランシーバ
を備える通信のための装置。
［２４］前記１つ以上のフリーチャネルの各々が、複数の周波数チャネルを含む［２３］の装置。
［２５］前記処理システムが、さらに、前記ノードからのマルチキャストに応答してノードに情報を提供するよう構成される［２３］の装置。
［２６］処理システムが、さらに、前記ノードからのブロードキャストに応答してノードに情報を提供するように構成される［２３］の装置。
［２７］前記トランシーバが、さらに、前記ノードからチャネルのリストを受信するように構成され、処理システムによって提供される情報において前記１つ以上のフリーチャネルは、受信されたリストから選ばれる［２３］の装置。
［２８］トランシーバが、さらに、受信されたリストに応答して前記１つ以上のフリーチャネルの各々の上でチャネル予約情報を送信するように構成される［２７］の装置。
［２９］前記トランシーバによって送信された前記チャネル予約情報が前記受信されたリストに埋め込まれたチャネル予約情報と関係がある［２８］の装置。
［３０］前記トランシーバが、さらに、リストを受信する他のノードからのチャネル予約情報と共に同時に前記チャネル予約情報を送信するように構成される［２８］の装置。
［３１］前記処理システムが、さらに、受信されたリストに埋め込まれたタイムスケジュールに基づいてノードに情報を提供するように構成される［２７］の装置。
［３２］前記トランシーバが、さらに、前記１つ以上のフリーチャネルのうちの１つの空間のサブチャネル上で情報を送信するように構成される［２３］の装置。
［３３］前記トランシーバが、さらに、前記１つ以上のフリーチャネルのうちの１つの上で１つ以上のＯＦＤＭシンボルの異なるサブキャリアについての情報を送信するように構成される［２３］の装置。
［３４］前記トランシーバが、さらに、前記１つ以上のフリーチャネルの前記少なくとも１つの各々の上でノードからデータ伝送のためのチャネル予約メッセージを受信するように構成される［２３］の装置。
［３５］前記トランシーバが、さらに、前記１つ以上のフリーチャネルの前記少なくとも１つの各々について前記ノードからデータ伝送のためのチャネル予約メッセージを送信するように構成される［２３］の装置。
［３６］前記チャネル予約メッセージが、データ伝送のための時間持続を示す［３５］の装置。
［３７］前記トランシーバが、前記１つ以上のフリーチャネルの前記少なくとも１つの各々の上でデータ伝送に応答してノードに肯定応答を送信するように構成される［２３］の装置。
［３８］前記肯定応答が、ブロック肯定応答を備える［３７］の装置。
［３９］トランシーバが、さらに、前記１つ以上のフリーチャネルのうちの１つの空間サブチャネル上で肯定応答を送信するように構成される［３７］の装置。
［４０］データ伝送に先立って他のアクセス端末から複数のチャネルの動的割り当てを受信するように構成される処理システム、および前記チャネル上で前記他のアクセス端末からデータ伝送を受信するように構成されるトランシーバを備えるアクセス端末。
［４１］前記チャネルが、複数の周波数チャネルを備える［４０］のアクセス端末。
［４２］処理システムが、さらに、データ伝送に先立って前記他のアクセス端末に情報を提供するように構成され、前記情報は、前記アクセス端末によって見られたフリーチャネルに関係し、前記フリーチャネルは動的に割り当てられたチャネルを含む［４０］のアクセス端末。
［４３］前記トランシーバが、さらに、前記他のアクセス端末からチャネルのリストを受信するように構成され、前記処理システムによって前記他のアクセス端末に提供される情報においてフリーチャネルが受信されたリストから選ばれる［４２］のアクセス端末。
［４４］前記トランシーバが、さらに、前記受信されたリストに応答してフリーチャネルの各々の上でチャネル予約情報を送信するように構成される［４３］のアクセス端末。
［４５］前記トランシーバによって送信されたチャネル予約情報が、前記受信リストに埋め込まれたチャネル予約情報と関係がある［４４］のアクセス端末。
［４６］前記処理システムが、さらに、前記受信されたリストに埋め込まれた時間情報に基づいて前記他のアクセス端末に情報を提供するように構成される［４２］のアクセス端末。
［４７］前記トランシーバが、さらに、前記タンネルの各々の上で前記他のアクセス端末からデータ伝送のためのチャネル予約メッセージを受信するよう構成される［４０］のアクセス端末。
［４８］前記トランシーバが、さらに、前記チャネルの各々の上でデータ伝送のためのチャネル予約メッセージを送信するように構成される［４０］のアクセス端末。
［４９］前記チャネル予約メッセージが、データ伝送のための時間持続を示す［４８］のアクセス端末。
［５０］前記トランシーバが、前記チャネルの各々の上で前記データ伝送に応答して前記他のアクセス端末に肯定応答を送信するように構成される［４０］のアクセス端末。
［５１］前記肯定応答が、ブロック肯定応答を備える［５０］のアクセス端末。
［５２］トランシーバから１つ以上のノードまのでデータ伝送に先立って前記１つ以上のノードに動的に複数のチャネルを割り当てることを備える通信のための方法。
［５３］前記チャネルが、複数の周波数チャネルを備える［５２］の方法。
［５４］前記１つ以上のノードとメッセージを交換すること、および前記交換されたメッセージに応答して前記１つ以上のノードに動的にチャネルを割り当てることをさらに備える［５２］の方法。
［５５］前記メッセージの交換が、マルチキャストについて前記トランシーバへのメッセージの１つ以上を供給することによりメッセージを交換することを備える［５４］の方法。
［５６］前記メッセージの交換が、ブロードキャストについて前記トランシーバへの前記メッセージの１つ以上を供給することにより前記メッセージを交換することを備える［５４］の方法。
［５７］前記メッセージの交換が、前記フリーチャネルのうちの１つの上で前記１つ以上のノードに対して見られたフリーチャネルのリストを送ることにより、前記１つ以上のノードと前記メッセージを交換することを備える［５４］の方法。
［５８］見られたフリーチャネルの各々でチャネル予約情報を送信することをさらに備える［５７］の方法。
［５９］前記チャネル予約情報が、前記フリーチャネルの前記１つの上で前記メッセージの交換のための時間持続に関係がある［５８］の方法。
［６０］リストにおいてフリーチャネルの前記１つのためのチャネル予約情報を埋め込むことをさらに含む［５８］の方法。
［６１］応答を送信するために前記１つ以上のノードの各々のためのタイムスケジュールを埋め込むことをさらに含む［５７］の方法。
［６２］応答を送信するために前記１つ以上のノードの各々の上で付加的なソース情報を埋め込むことをさらに備える［６１］の方法。
［６３］前記付加的なソース情報が、空間、周波数、時間、データレート、あるいはコードの少なくとも１つに関する情報を備える［６２］の方法。
［６４］メッセージの交換が、要求に応答して前記１つ以上のノードによって見られた１つ以上のフリーチャネルのリストを受信することにより前記１つ以上のノードとメッセージを交換することを備える［５４］の方法。
［６５］前記割り当てられたチャネルのうちの１つの上で前記１つ以上のノードの各１つからリストを受信することをさらに備える［６４］の方法。
［６６］前記リストの前記受信が、前記割り当てられたチャネルの前記１つについての異なる空間サブチャネル上の前記１つ以上のノードから前記リストを受信することをさらに備える［６５］の方法。
［６７］前記リストの前記受信が、前記割り当てられたチャネルの前記１つについての１つ以上のＯＦＤＭシンボルの異なるサブキャリア上の前記１つ以上のノードから前記リストを受信することをさらに備える［６５］の方法。
［６８］前記１つ以上のノードに割り当てられたチャネルの各々についてのメッセージを送信するための要求を送信することをさらに備える［５２］の方法。
［６９］メッセージを送るために要求各々においてチャネル予約情報を埋め込むことをさらに備える［６８］の方法。
［７０］前記チャネル予約情報が、メッセージを送るための要求が送信されたチャネル上でデータを送るための時間持続に関係がある［６８］の方法。
［７１］前記割り当てられたチャネルの前記１つ以上のノードに送信すること、および前記割り当てられたチャネルのうちの１つの上で前記１つ以上のノードから肯定応答を受け取ることをさらに備える［５２］の方法。
［７２］前記肯定応答の各々が、ブロック肯定応答を備える［７１］の方法。
［７３］前記割り当てられたチャネルの前記１つにおける異なる空間サブチャネル上で前記１つ以上のノードから肯定応答を受信することをさらに備える［７１］の方法。
［７４］ノードから方法までのデータ伝送に先立ってノードへ、見られた１つ以上のフリーチャネルに関係する情報を提供すること、および前記１つ以上のフリーチャネルの少なくとも１つの上でデータ伝送を受信することを備える通信のための方法。
［７５］前記１つ以上のフリーチャネルの各々が、複数の周波数チャネルを備える［７４］の方法。
［７６］提供することは、さらに、前記ノードからのマルチキャストに応答して前記ノードに情報を提供することを備える［７４］の方法。
［７７］提供することが、さらに、前記ノードからのブロードキャストに応答して前記ノードに情報を提供することを備える［７４］の方法。
［７８］前記ノードからのチャネルのリストを受信することを備え、前記ノードに提供される情報において前記１つ以上のフリーチャネルが、前記受信されたリストから選択される［７４］の方法。
［７９］さらに、前記受信されたリストに応答して前記１つ以上のフリーチャネルの各々の上でチャネル予約情報を送信すること備える［７８］の方法。
［８０］送信された前記チャネル予約情報が、前記受信されたリストが埋め込まれたチャネル予約情報と関係がある［７９］の方法。
［８１］前記リストを受け取る他のノードからチャネル予約情報と共に同時に前記チャネル予約情報を送信することをさらに備える［７９］の方法。
［８２］前記提供することが、前記受信されたリストに埋め込まれたタイムスケジュールに基づいてノードに情報を提供することをさらに備える［７８］の方法。
［８３］前記１つ以上のフリーチャネルのうちの１つの空間サブチャネルについての情報を送信することをさらに備える［７４］の方法。
［８４］前記１つ以上のフリーチャネルのうちの１つの上の１つ以上のＯＦＤＭシンボルの異なるサブキャリアについての情報を送信することをさらに備える［７４］の方法。
［８５］前記１つ以上のフリーチャネルの少なくとも１つの各々のノードからデータ伝送のためのチャネル予約メッセージを受信することを、さらに備える［７４］の方法。
［８６］前記１つ以上のフリーチャネルの前記少なくとも１つの各々のデータ伝送のためのチャネル予約メッセージを送信することをさらに備える［７４］の方法。
［８７］チャネル予約メッセージが、データ伝送のための時間持続を示す［８６］の方法。
［８８］前記１つ以上のチャネルの前記少なくとも１つの各々のデータ伝送に応答して前記ノードに肯定応答を送信することをさらに備える［７４］の方法。
［８９］前記肯定応答が、ブロック肯定応答を備える［８８］の方法。
［９０］前記肯定応答を送信することが、１つ以上のフリーチャネルのうちの１つの空間サブチャネル上の肯定応答を送信することを備える［８８］の方法。
［９１］データ伝送に先立って他のアクセス端末から複数のチャネルの動的割り当てを受信すること、および前記チャネル上の前記他のアクセス端末からデータ伝送を受信することを備える通信のための方法。
［９２］前記チャネルが、複数の周波数チャネルを備える［９１］の方法。
［９３］前記データ伝送に先立って前記他のアクセス端末に情報を提供することをさらに備え、  前記情報は、見られたフリーチャネルに関係し、前記フリーチャネルは、動的に割り当てられたチャネルを備える［９１］の方法。
［９４］前記他のアクセス端末からチャネルのリストを受信することをさらに備え、前記他のアクセス端末に提供された情報におけるフリーチャネルは、受信されたリストから選ばれる［９３］の方法。
［９５］受信されたリストに応答してフリーチャネルの各々の上でチャネル予約情報を送ることさらに備える［９４］の方法。
［９６］送信された前記チャネル予約情報が、受信されたリストに埋め込まれていたチャネル予約情報と関係がある［９５］の方法。
［９７］前記情報を提供することが、受信されたリストにおいて埋め込まれた時間情報に基づいて前記他のアクセス端末に情報を提供することを備える［９３］の方法。
［９８］前記チャネルの各々の上で前記他のアクセス端末からデータ伝送のためのチャネル予約メッセージを受信することをさらに備える［９１］の方法。
［９９］各チャネル上のデータ伝送のためのチャネル予約メッセージを送信することをさらに備える［９１］の方法。
［１００］チャネル予約メッセージが、データ伝送のための時間持続を示す［９９］の方法。
［１０１］前記チャネルの各々の上のデータ伝送に応答して前記他のアクセス端末に肯定応答を送信することをさらに備える［９１］の方法。
［１０２］前記肯定応答が、ブロック肯定応答を備える［１０１］の方法。
［１０３］複数のチャネルのアクセス可能性を決定するための手段、およびアクセス可能性に基づいてトランシーバから１つ以上のノードまでのデータ伝送に先立って前記１つ以上のノードに動的に複数のチャネルを割り当てるための手段を備える通信のための装置。
［１０４］前記チャネルが、複数の周波数チャネルを備える［１０３］の装置。
［１０５］前記１つ以上のノードとメッセージを交換するための手段、および前記交換されたメッセージに応答して前記１つ以上のノードに動的に前記チャネルを割り当てるための手段をさらに備える[１０３]の装置。
［１０６］メッセージを交換するための前記手段が、マルチキャスト対するトランシーバへメッセージの１つ以上を供給することによりメッセージを交換するように構成される［１０５］の装置。
［１０７］メッセージを交換するための前記手段が、ブロードキャストのためのトランシーバへメッセージの１つ以上を供給することによりメッセージを交換するように構成される［１０５］の装置。
［１０８］メッセージを交換するための前記手段が、フリーチャネルのうちの１つの上の前記１つ以上のノードに見られたフリーチャネルのリストを送ることにより、前記１つ以上のノードとメッセージを交換するように構成される［１０５］の装置。
［１０９］見られたフリーチャネルの各々についてのチャネル予約情報用を送信するための段をさらに備える［１０８］の装置。
［１１０］前記チャネル予約情報が、フリーチャネルの前記１つにおいてメッセージを交換するための時間持続に関係がある［１０９］の装置。
［１１１］フリーチャネルの前記１つについてのチャネル予約情報をリストに埋め込むための手段をさらに備える［１０９］の装置。
［１１２］応答を送信するために前記１つ以上のノードの各々についてのタイムスケジュールをリストに埋め込むため手段をさらに備える［１０８］の装置。
［１１３］応答を送信するために前記１つ以上のノードの各々についての付加的なソース情報を埋め込むための手段をさらに備える［１１２］の装置。
［１１４］前記付加的なソース情報が、空間、周波数、時間、データレート、あるいはコードの少なくとも１つについての情報を備える［１１３］の装置。
［１１５］メッセージを交換するための手段が、要求に応答して前記１つ以上のノードの各々によって見られた１つ以上のフリーチャネルのリストを受信することにより前記１つ以上のノードとメッセージを交換するように構成される［１０５］の装置。
［１１６］前記割り付けられたチャネルのうちの１つの上で前記１つ以上のノードの各１つからリストを受信するための手段をさらの備える［１１５］の装置。
［１１７］前記リストを受信するための手段が、前記割り付けられたチャネルの前記１つについての異なる空間サブチャネル上の前記１つ以上のノードからリストを受信するように構成される［１１６］の装置。
［１１８］前記リストを受信するための手段が、前記割り付けられたチャネルの前記１つについての１つ以上のＯＦＤＭシンボルの異なるサブキャリア上の前記１つ以上のノードから前記リストを受信するように構成される［１１６］の装置。
［１１９］前記１つ以上のノードに割り当てられたチャネルの各々の上でメッセージを送信するために要求を送信するための手段をさらに備える［１１９］の装置。
［１２０］メッセージを送るためにチャネル予約情報を要求の各々に埋め込むための手段をさらに備える［１１９］の装置。
［１２１］前記チャネル予約情報が、メッセージを送るための要求が送信されるチャネル上でデータを送るための時間持続に関係がある［１１９］の装置。
［１２２］割り付けられたチャネル上の前記１つ以上のノードに送信するための手段、および前記割り付けられたチャネルのうちの１つの上の前記１つ以上のノードから肯定応答を受信するための手段をさらに備える［１０３］の装置。
［１２３］前記肯定応答の各々が、ブロック肯定応答を備える［１２２］の装置。
［１２４］前記割り付けられたチャネルの前記１つにおいて異なる空間サブチャネル上の前記１つ以上のノードから肯定応答を受信するための手段をさらに備える［１２２］の装置。
［１２５］ノードから装置へのデータ伝送に先立ってノードへ、見られた１つ以上のフリーチャネルに関係のある情報を提供するための手段と、および前記１つ以上のフリーチャネルの少なくとも１つの上のデータ伝送を受信するための手段を備えた通信のための装置。
［１２６］前記１つ以上のフリーチャネルの各々が、複数の周波数チャネルを含む[１２５]の装置。
［１２７］提供するための前記手段が、前記ノードからのマルチキャストに応答して前記ノードに前記情報を提供するように構成される［１２５］の装置。
［１２８］提供するための前記手段が、前記ノードからのブロードキャストに応答して前記ノードに前記情報を提供するように構成される［１２５］の装置。
［１２９］前記ノードからチャネルのリストを受信するための手段をさらに備え、前記ノードに提供された情報における前記１つ以上のフリーチャネルが、受信されたリストから選ばれる［１２５］の装置。
［１３０］受信されたリストに応答して前記１つ以上のフリーチャネルの各々でチャネル予約情報を送信するための手段をさらに備える［１２９］の装置。
［１３１］送信された前記チャネル予約情報が、受信されたリストに埋め込まれたチャネル予約情報と関係がある［１３０］の装置。
［１３２］リストを受信する他のノードからチャネル予約情報と同時に前記チャネル予約情報を送信するための手段をさらに備える［１３０］の装置。
［１３３］提供するための前記手段が、前記受信されたリストに埋め込まれたタイムスケジュールに基づいて前記ノードに情報を提供するように構成される［１２９］の装置。
［１３４］前記１つ以上のフリーチャネルのうちの１つの空間サブチャネルについての情報を送信するための手段をさらに備える［１２５］の装置。
［１３５］前記１つ以上のフリーチャネルのうちの１つの上の１つ以上のＯＦＤＭシンボルの異なるサブキャリアについての情報を送信するための手段をさらに備える［１２５］の装置。
［１３６］前記１つ以上のフリーチャネルの前記少なくとも１つの各々のノードからデータ伝送のためのチャネル予約メッセージを受信するための手段をさらに備える［１２５］の装置。
［１３７］前記１つ以上のフリーチャネルの前記少なくとも１つの各々の前記ノードからデータ伝送のためのチャネル予約メッセージを送信するため手段をさらに備える［１２５］の装置。
［１３８］前記チャネル予約メッセージが、データ伝送のための時間持続を示す［１３７］の装置。
［１３９］前記１つ以上のチャネルの前記少なくとも１つの各々のデータ伝送に応答して前記ノードに肯定応答を送信するための手段をさらに備える［１２５］の装置。
［１４０］前記肯定応答が、ブロック肯定応答を備える［１３９］の装置。
［１４１］前記送信のための手段が、前記１つ以上のチャネルのうちの１つの空間サブチャネル上で前記肯定応答を送信するように構成される［１３９］の装置。
［１４２］データ伝送に先立って他のアクセス端末から複数のチャネルの動的な割り当てを受信するための手段、および前記チャネル上の前記他のアクセス端末からのデータ伝送を受信するための手段を備えるアクセス端末。
［１４３］前記チャネルが、複数の周波数チャネルを備える［１４２］のアクセス端末。
［１４４］データ伝送に先立って前記他のアクセス端末に情報を提供するための手段をさらに備え、前記情報は、アクセス端末によって見られたフリーチャネルに関係しており、前記フリーチャネルは、動的に割り当てられたチャネルを含む［１４２］のアクセス端末。
［１４５］前記他のアクセス端末からチャネルのリストを受信するための手段をさらに備え、前記他のアクセス端末に提供される情報におけるフリーチャネルは、受信されたリストから選ばれる［１４４］のアクセス端末。
［１４６］受信されたリストに応じてフリーチャネルの各々でチャネル予約情報を送信するための手段をさらに備える［１４５］のアクセス端末。
［１４７］送信されたチャネル予約情報が、受信されたリストに埋め込まれたチャネル予約情報と関係がある［１４６］のアクセス端末。
［１４８］情報を提供する手段が、前記受信されたリストに埋め込まれた時間情報に基づいて前記他のアクセス端末に情報を提供するように構成される［１４４］のアクセス端末。
［１４９］前記チャネルの各々で前記他のアクセス端末からデータ伝送のためのチャネル予約メッセージを受信するための手段をさらに備える［１４２］のアクセス端末。
［１５０］前記チャネルの各々でデータ伝送のためのチャネル予約メッセージを送信するための手段をさらに備える［１４２］のアクセス端末。
［１５１］チャネル予約メッセージが、データ伝送のための時間持続を示す［１５０］のアクセス端末。
［１５２］前記チャネルの各々でデータ伝送に応じて前記他のアクセス端末に肯定応答を送信するための手段をさらに備える［１４２］のアクセス端末。
［１５３］前記肯定応答が、ブロック肯定応答を備える［１５２］のアクセス端末。
［１５４］ネットワークへピアノードに対するバックホール接続を支援するように構成される無線ネットワークアダプタ、トランシーバ、および前記トランシーバから前記１つ以上のノードまでデータ伝送に先立って１つ以上のノードに複数のチャネルを割り当てるように構成される処理システムを備えたアクセスポイント。
［１５５］前記ノードから前記装置へデータ伝送に先立ってノードに、前記処理システムによって見られた１つ以上のフリーチャネルに関係する情報を提供するように構成される処理システム、前記１つ以上のフリーチャネルの少なくとも１つでのデータ伝送を受信するように構成されるトランシーバ、および処理システムに支援されたユーザインタフェースを備えたアクセス端末。
［１５６］トランシーバから１つ以上のノードまでデータ伝送に先立って前記１つ以上のノードに複数のチャネルを動的に割り当てることが実行可能な命令で符号化された機械読み取り可能な媒体を備える通信のためのコンピュータプログラム製品。
［１５７］ノードからのデータ伝送に先立ってノードに処理システムによって見られた１つ以上のフリーチャネルに関係のある情報を提供すること、および前記１つ以上のフリーチャネルの少なくとも１つでトランシーバによるデータ伝送を受信することが処理システムによって実行可能な命令で符号化された機械読み出し可能な媒体を備える通信のためのコンピュータプログラム製品。
［１５８］データ伝送に先立ってアクセス端末から複数のチャネルの動的な割り当てを受信すること、およびチャネル上のアクセス端末からデータ伝送を受信することが実行可能な命令で符号化された機械読み出し可能な媒体を備える通信のためのコンピュータプログラム製品。
【国際調査報告】
2012501581.tif 000016
2012501581.tif 000017
2012501581.tif 000018